(57)【要約】【課題】  有価価値媒体を購入し、かつ、店内で利用した利用者に対してのみ、所定の割引きサービスを提供できるようにする。【解決手段】  遊技店の駐車場１１に遊技者が、自動車２１を駐車させ、駐車券３１を取得する。遊技者は、遊技店内で精算販売装置２により有価価値媒体を購入する。精算販売装置２は有価価値媒体には、精算禁止情報が記録される。遊技者が遊技台３で遊技するため、遊技媒体貸出装置４に有価価値媒体を入れて、遊技媒体を借り受ける。遊技媒体貸出装置４は、有価価値媒体に記録されている精算禁止情報を削除する。遊技者が、有価価値媒体を精算するとき、精算販売装置２は、有価価値媒体に精算禁止情報がない場合、駐車券３１にサービス情報を記録する。遊技者は、駐車場１１を出庫する際、サービス情報が記録された駐車券３１を提示することで、駐車料金の割引を受けることができる。本発明は、遊技店にて適用することができる。【選択図】      図１
2007079714.tif 000002
【特許請求の範囲】
【請求項１】
有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムにおいて、
前記精算販売装置は、
所定のサービス情報が要求される場合、所定の金額の前記有価価値に加えて、精算禁止情報を記録して、前記有価価値媒体を発行する有価価値媒体発行手段と、
前記有価価値媒体発行手段により発行された後の有価価値媒体より、前記精算禁止情報の有無を判定する判定手段と、
前記所定のサービス情報が要求され、かつ、前記判定手段により精算禁止情報がない場合、前記所定のサービス情報を発行するサービス情報発行手段と
を含み、
前記価値媒体貸出装置は、
前記有価価値媒体に記録されている有価価値に基づいて、前記遊技媒体を貸し出す貸出手段と、
前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段と
を含む管理システム。
【請求項２】
前記所定のサービス情報は、駐車場の駐車料金の割引サービス情報である
請求項１に記載の管理システム。
【請求項３】
前記精算販売装置は、
前記駐車場で発行される駐車券を受け付け、前記サービス情報発行手段により、前記駐車料金の割引サービス情報が発行された場合、受け付けた前記駐車券に前記駐車料金の割引サービス情報を記録する駐車券受付手段をさらに含む
請求項２に記載の管理システム。
【請求項４】
前記精算販売装置は、
前記判定手段により精算禁止情報がない場合、前記有価価値媒体に記録されている有価価値に基づいた金額の精算処理を実行する精算手段をさらに含む
請求項１に記載の管理システム。
【請求項５】
前記精算販売装置は、
前記判定手段により精算禁止情報がある場合、前記所定のサービス情報の要求の解除を受け付けたとき、前記有価価値媒体に記録されている精算禁止情報を削除する解除手段をさらに含む
請求項１に記載の管理システム。
【請求項６】
請求項１に記載の前記有価価値媒体発行手段により所定の金額の前記有価価値に加えて、精算禁止情報が記録され、前記削除手段により前記精算禁止情報が削除される
ことを特徴とする有価価値媒体。
【請求項７】
有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムの管理方法において、
前記精算販売装置の精算販売方法は、
所定のサービス情報が要求される場合、所定の金額の前記有価価値に加えて、精算禁止情報を記録して、前記有価価値媒体を発行する有価価値媒体発行ステップと、
前記有価価値媒体発行ステップの処理により発行された後の有価価値媒体より、前記精算禁止情報の有無を判定する判定ステップと、
前記所定のサービス情報が要求され、かつ、前記判定ステップの処理により精算禁止情報がない場合、前記所定のサービス情報を発行するサービス情報発行ステップと
を含み、
前記価値媒体貸出装置の価値媒体貸出方法は、
前記有価価値媒体に記録されている有価価値に基づいて、前記遊技媒体を貸し出す貸出ステップと、
前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップと
を含む管理方法。
【請求項８】
有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムを制御するコンピュータのうち、
前記精算販売装置を制御するコンピュータに、
所定のサービス情報が要求される場合、所定の金額の前記有価価値に加えて、精算禁止情報を記録して、前記有価価値媒体を発行する有価価値媒体発行ステップと、
前記有価価値媒体発行ステップの処理により発行された後の有価価値媒体より、前記精算禁止情報の有無を判定する判定ステップと、
前記所定のサービス情報が要求され、かつ、前記判定ステップの処理により精算禁止情報がない場合、前記所定のサービス情報を発行するサービス情報発行ステップと
を含む処理を実行させ、
前記価値媒体貸出装置を制御するコンピュータに、
前記有価価値媒体に記録されている有価価値に基づいて、前記遊技媒体を貸し出す貸出ステップと、
前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップと
を含む処理を実行させるプログラム。
【請求項９】
所定のサービス情報が要求される場合、所定の金額の有価価値に加えて、精算禁止情報を記録して、有価価値媒体を発行する有価価値媒体発行手段と、
前記有価価値媒体発行手段により発行された後の有価価値媒体より、前記精算禁止情報の有無を判定する判定手段と、
前記所定のサービス情報が要求され、かつ、前記判定手段により精算禁止情報がない場合、前記所定のサービス情報を発行するサービス情報発行手段と
を含む精算販売装置。
【請求項１０】
所定のサービス情報が要求される場合、所定の金額の有価価値に加えて、精算禁止情報を記録して、有価価値媒体を発行する有価価値媒体発行ステップと、
前記有価価値媒体発行ステップの処理により発行された後の有価価値媒体より、前記精算禁止情報の有無を判定する判定ステップと、
前記所定のサービス情報が要求され、かつ、前記判定ステップの処理により精算禁止情報がない場合、前記所定のサービス情報を発行するサービス情報発行ステップと
を含む精算販売方法。
【請求項１１】
所定のサービス情報が要求される場合、所定の金額の有価価値に加えて、精算禁止情報を記録して、有価価値媒体を発行する有価価値媒体発行ステップと、
前記有価価値媒体発行ステップの処理により発行された後の有価価値媒体より、前記精算禁止情報の有無を判定する判定ステップと、
前記所定のサービス情報が要求され、かつ、前記判定ステップの処理により精算禁止情報がない場合、前記所定のサービス情報を発行するサービス情報発行ステップと
を含む処理をコンピュータに実行させるプログラム。
【請求項１２】
所定のサービス情報が要求される場合、所定の金額の有価価値に加えて、精算禁止情報が記録されている有価価値媒体の有価価値に基づいて、遊技媒体を貸し出す貸出手段と、
前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段と
を含む価値媒体貸出装置。
【請求項１３】
所定のサービス情報が要求される場合、所定の金額の有価価値に加えて、精算禁止情報が記録されている有価価値媒体の有価価値に基づいて、遊技媒体を貸し出す貸出ステップと、
前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップと
を含む価値媒体貸出方法。
【請求項１４】
所定のサービス情報が要求される場合、所定の金額の有価価値に加えて、精算禁止情報が記録されている有価価値媒体の有価価値に基づいて、遊技媒体を貸し出す貸出ステップと、
前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップと
を含む処理をコンピュータに実行させるプログラム。
【請求項１５】
有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムにおいて、
前記販売装置は、
所定のサービス情報が要求される場合、所定の金額の前記有価価値に加えて、精算禁止情報を記録して、前記有価価値媒体を発行する有価価値媒体発行手段を含み、
前記精算装置は、
前記有価価値媒体発行手段により発行された後の有価価値媒体より、前記精算禁止情報の有無を判定する判定手段と、
前記判定手段により精算禁止情報がない場合、前記所定のサービス情報を発行するサービス情報発行手段と
を含み、
前記価値媒体貸出装置は、
前記有価価値媒体に記録されている有価価値に基づいて、前記遊技媒体を貸し出す貸出手段と、
前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段と
を含む管理システム。
【請求項１６】
所定のサービス情報が要求される場合、所定の金額の有価価値に加えて、精算禁止情報を記録して、有価価値媒体を発行する有価価値媒体発行手段を含む販売装置。
【請求項１７】
所定のサービス情報が要求される場合、所定の金額の有価価値に加えて、精算禁止情報を記録して、有価価値媒体を発行する有価価値媒体発行ステップを含む販売方法。
【請求項１８】
所定のサービス情報が要求される場合、所定の金額の有価価値に加えて、精算禁止情報を記録して、有価価値媒体を発行する有価価値媒体発行ステップを含む処理をコンピュータに実行させるプログラム。
【請求項１９】
所定のサービス情報が要求される場合、所定の金額の有価価値に加えて、精算禁止情報が記録されている有価価値媒体より、前記精算禁止情報の有無を判定する判定手段と、
前記判定手段により精算禁止情報がない場合、前記所定のサービス情報を発行するサービス情報発行手段と
を含む販売装置。
【請求項２０】
所定のサービス情報が要求される場合、所定の金額の有価価値に加えて、精算禁止情報が記録されている有価価値媒体より、前記精算禁止情報の有無を判定する判定ステップと、
前記判定ステップの処理により精算禁止情報がない場合、前記所定のサービス情報を発行するサービス情報発行ステップと
を含む販売方法。
【請求項２１】
所定のサービス情報が要求される場合、所定の金額の有価価値に加えて、精算禁止情報が記録されている有価価値媒体より、前記精算禁止情報の有無を判定する判定ステップと、
前記判定ステップの処理により精算禁止情報がない場合、前記所定のサービス情報を発行するサービス情報発行ステップと
を含む処理をコンピュータに実行させるプログラム。
【請求項２２】
有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムにおいて、
前記精算販売装置は、
所定のサービス情報が要求される場合、所定の金額の前記有価価値に加えて、精算禁止情報を記録して、前記有価価値媒体を発行する有価価値媒体発行手段と、
前記所定のサービス情報が要求されている場合であって、前記有価価値媒体発行手段により前記有価価値媒体が発行されるとき、前記所定のサービス情報を発行するサービス情報発行手段と、
前記有価価値媒体発行手段により発行された後の有価価値媒体より、前記精算禁止情報の有無を判定する判定手段と、
前記判定手段により精算禁止情報がある場合、前記所定のサービス情報の要求の解除を受け付ける解除受付手段と、
前記解除受付手段により前記所定のサービス情報の要求が解除された場合、前記所定のサービス情報と共に前記精算禁止情報を消去するサービス情報消去手段と
を含み、
前記価値媒体貸出装置は、
前記有価価値媒体に記録されている有価価値に基づいて、前記遊技媒体を貸し出す貸出手段と、
前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段と
を含む管理システム。
【請求項２３】
前記所定のサービス情報は、駐車場の駐車料金の割引サービス情報である
請求項２２に記載の管理システム。
【請求項２４】
前記精算販売装置は、
前記駐車場で発行される駐車券を受け付け、前記サービス情報発行手段により、前記駐車料金の割引サービス情報が発行された場合、受け付けた前記駐車券に前記駐車料金の割引サービス情報を記録する駐車券受付手段をさらに含む
請求項２３に記載の管理システム。
【請求項２５】
前記精算販売装置は、
前記判定手段により精算禁止情報がない場合、前記有価価値媒体に記録されている有価価値に基づいた金額の精算処理を実行する精算手段をさらに含む
請求項２２に記載の管理システム。
【請求項２６】
請求項２２に記載の前記有価価値媒体発行手段により所定の金額の前記有価価値に加えて、精算禁止情報が記録され、前記削除手段により前記精算禁止情報が削除される
ことを特徴とする有価価値媒体。
【請求項２７】
有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムの管理方法において、
前記精算販売装置の精算販売方法は、
所定のサービス情報が要求される場合、所定の金額の前記有価価値に加えて、精算禁止情報を記録して、前記有価価値媒体を発行する有価価値媒体発行ステップと、
前記所定のサービス情報が要求されている場合であって、前記有価価値媒体発行ステップにより前記有価価値媒体が発行されるとき、前記所定のサービス情報を発行するサービス情報発行ステップと、
前記有価価値媒体発行ステップの処理により発行された後の有価価値媒体より、前記精算禁止情報の有無を判定する判定ステップと、
前記判定ステップの処理により精算禁止情報がある場合、前記所定のサービス情報の要求の解除を受け付ける解除受付ステップと、
前記解除受付ステップの処理により前記所定のサービス情報の要求が解除された場合、前記所定のサービス情報と共に前記精算禁止情報を消去するサービス情報消去ステップと
を含み、
前記価値媒体貸出方法は、
前記有価価値媒体に記録されている有価価値に基づいて、前記遊技媒体を貸し出す貸出ステップと、
前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップと
を含む管理方法。
【請求項２８】
有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムを制御するコンピュータのうち、
前記精算販売装置を制御するコンピュータに、
所定のサービス情報が要求される場合、所定の金額の前記有価価値に加えて、精算禁止情報を記録して、前記有価価値媒体を発行する有価価値媒体発行ステップと、
前記所定のサービス情報が要求されている場合であって、前記有価価値媒体発行ステップにより前記有価価値媒体が発行されるとき、前記所定のサービス情報を発行するサービス情報発行ステップと、
前記有価価値媒体発行ステップの処理により発行された後の有価価値媒体より、前記精算禁止情報の有無を判定する判定ステップと、
前記判定ステップの処理により精算禁止情報がある場合、前記所定のサービス情報の要求の解除を受け付ける解除受付ステップと、
前記解除受付ステップの処理により前記所定のサービス情報の要求が解除された場合、前記所定のサービス情報と共に前記精算禁止情報を消去するサービス情報消去ステップと
を含む処理を実行させ、
前記価値媒体貸出装置を制御するコンピュータに、
前記有価価値媒体に記録されている有価価値に基づいて、前記遊技媒体を貸し出す貸出ステップと、
前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップと
を含む処理を実行させるプログラム。
【請求項２９】
所定のサービス情報が要求される場合、所定の金額の有価価値に加えて、精算禁止情報を記録して、有価価値媒体を発行する有価価値媒体発行手段と、
前記所定のサービス情報が要求されている場合であって、前記有価価値媒体発行手段により前記有価価値媒体が発行されるとき、前記所定のサービス情報を発行するサービス情報発行手段と
前記有価価値媒体発行手段により発行された後の有価価値媒体より、前記精算禁止情報の有無を判定する判定手段と、
前記判定手段により精算禁止情報がある場合、前記所定のサービス情報の要求の解除を受け付ける解除受付手段と、
前記解除受付手段により前記所定のサービス情報の要求が解除された場合、前記所定のサービス情報と共に前記精算禁止情報を消去するサービス情報消去手段と
を含む精算販売装置。
【請求項３０】
所定のサービス情報が要求される場合、所定の金額の有価価値に加えて、精算禁止情報を記録して、有価価値媒体を発行する有価価値媒体発行ステップと、
前記所定のサービス情報が要求されている場合であって、前記有価価値媒体発行ステップの処理により前記有価価値媒体が発行されるとき、前記所定のサービス情報を発行するサービス情報発行ステップと
前記有価価値媒体発行ステップの処理により発行された後の有価価値媒体より、前記精算禁止情報の有無を判定する判定ステップと、
前記判定ステップの処理により精算禁止情報がある場合、前記所定のサービス情報の要求の解除を受け付ける解除受付ステップと、
前記解除受付ステップの処理により前記所定のサービス情報の要求が解除された場合、前記所定のサービス情報と共に前記精算禁止情報を消去するサービス情報消去ステップと
を含む精算販売方法。
【請求項３１】
所定のサービス情報が要求される場合、所定の金額の有価価値に加えて、精算禁止情報を記録して、有価価値媒体を発行する有価価値媒体発行ステップと、
前記所定のサービス情報が要求されている場合であって、前記有価価値媒体発行ステップの処理により前記有価価値媒体が発行されるとき、前記所定のサービス情報を発行するサービス情報発行ステップと
前記有価価値媒体発行ステップの処理により発行された後の有価価値媒体より、前記精算禁止情報の有無を判定する判定ステップと、
前記判定ステップの処理により精算禁止情報がある場合、前記所定のサービス情報の要求の解除を受け付ける解除受付ステップと、
前記解除受付ステップの処理により前記所定のサービス情報の要求が解除された場合、前記所定のサービス情報と共に前記精算禁止情報を消去するサービス情報消去ステップと
を含む処理をコンピュータに実行させるプログラム。
【請求項３２】
有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムにおいて、
前記販売装置は、
所定のサービス情報が要求される場合、所定の金額の前記有価価値に加えて、精算禁止情報を記録して、前記有価価値媒体を発行する有価価値媒体発行手段と、
前記所定のサービス情報が要求されている場合であって、前記有価価値媒体発行手段により前記有価価値媒体が発行されるとき、前記所定のサービス情報を発行するサービス情報発行手段と
を含み、
前記精算装置は、
前記有価価値媒体発行手段により発行された後の有価価値媒体より、前記精算禁止情報の有無を判定する判定手段と、
前記判定手段により精算禁止情報がある場合、前記所定のサービス情報の要求の解除を受け付ける解除受付手段と、
前記解除受付手段により前記所定のサービス情報の要求が解除された場合、前記所定のサービス情報と共に前記精算禁止情報を消去するサービス情報消去手段と
を含み、
前記価値媒体貸出装置は、
前記有価価値媒体に記録されている有価価値に基づいて、前記遊技媒体を貸し出す貸出手段と、
前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段と
を含む管理システム。
【請求項３３】
有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムの管理方法において、
前記販売装置の販売方法は、
所定のサービス情報が要求される場合、所定の金額の前記有価価値に加えて、精算禁止情報を記録して、前記有価価値媒体を発行する有価価値媒体発行ステップと、
前記所定のサービス情報が要求されている場合であって、前記有価価値媒体発行ステップの処理により前記有価価値媒体が発行されるとき、前記所定のサービス情報を発行するサービス情報発行ステップと
を含み、
前記精算装置の精算方法は、
前記有価価値媒体発行ステップの処理により発行された後の有価価値媒体より、前記精算禁止情報の有無を判定する判定ステップと、
前記判定ステップの処理により精算禁止情報がある場合、前記所定のサービス情報の要求の解除を受け付ける解除受付ステップと、
前記解除受付ステップの処理により前記所定のサービス情報の要求が解除された場合、前記所定のサービス情報と共に前記精算禁止情報を消去するサービス情報消去ステップと
を含み、
前記価値媒体貸出装置の価値媒体貸出方法は、
前記有価価値媒体に記録されている有価価値に基づいて、前記遊技媒体を貸し出す貸出ステップと、
前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップと
を含む管理方法。
【請求項３４】
有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムを制御するコンピュータのうち、
前記販売装置を制御するコンピュータに、
所定のサービス情報が要求される場合、所定の金額の前記有価価値に加えて、精算禁止情報を記録して、前記有価価値媒体を発行する有価価値媒体発行ステップと、
前記所定のサービス情報が要求されている場合であって、前記有価価値媒体発行ステップの処理により前記有価価値媒体が発行されるとき、前記所定のサービス情報を発行するサービス情報発行ステップと
を含む処理を実行させ、
前記精算装置を制御するコンピュータに、
前記有価価値媒体発行ステップの処理により発行された後の有価価値媒体より、前記精算禁止情報の有無を判定する判定ステップと、
前記判定ステップの処理により精算禁止情報がある場合、前記所定のサービス情報の要求の解除を受け付ける解除受付ステップと、
前記解除受付ステップの処理により前記所定のサービス情報の要求が解除された場合、前記所定のサービス情報と共に前記精算禁止情報を消去するサービス情報消去ステップと
を含む処理を実行させ、
前記価値媒体貸出装置を制御するコンピュータに、
前記有価価値媒体に記録されている有価価値に基づいて、前記遊技媒体を貸し出す貸出ステップと、
前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップと
を含む処理を実行させるプログラム。
【請求項３５】
所定のサービス情報が要求される場合、所定の金額の有価価値に加えて、精算禁止情報を記録して、有価価値媒体を発行する有価価値媒体発行手段と、
前記所定のサービス情報が要求されている場合であって、前記有価価値媒体発行手段により前記有価価値媒体が発行されるとき、前記所定のサービス情報を発行するサービス情報発行手段と
を含む販売装置。
【請求項３６】
所定のサービス情報が要求される場合、所定の金額の有価価値に加えて、精算禁止情報を記録して、有価価値媒体を発行する有価価値媒体発行ステップと、
前記所定のサービス情報が要求されている場合であって、前記有価価値媒体発行ステップの処理により前記有価価値媒体が発行されるとき、前記所定のサービス情報を発行するサービス情報発行ステップと
を含む販売方法。
【請求項３７】
所定のサービス情報が要求される場合、所定の金額の有価価値に加えて、精算禁止情報を記録して、有価価値媒体を発行する有価価値媒体発行ステップと、
前記所定のサービス情報が要求されている場合であって、前記有価価値媒体発行ステップの処理により前記有価価値媒体が発行されるとき、前記所定のサービス情報を発行するサービス情報発行ステップと
を含む処理をコンピュータに実行させるプログラム。
【請求項３８】
所定のサービス情報が要求される場合、所定の金額の有価価値に加えて、精算禁止情報が記録されている有価価値媒体の前記精算禁止情報の有無を判定する判定手段と、
前記判定手段により精算禁止情報がある場合、前記所定のサービス情報の要求の解除を受け付ける解除受付手段と、
前記解除受付手段により前記所定のサービス情報の要求が解除された場合、前記所定のサービス情報と共に前記精算禁止情報を消去するサービス情報消去手段と
を含む精算装置。
【請求項３９】
所定のサービス情報が要求される場合、所定の金額の有価価値に加えて、精算禁止情報が記録されている有価価値媒体の前記精算禁止情報の有無を判定する判定ステップと、
前記判定ステップの処理により精算禁止情報がある場合、前記所定のサービス情報の要求の解除を受け付ける解除受付ステップと、
前記解除受付ステップの処理により前記所定のサービス情報の要求が解除された場合、前記所定のサービス情報と共に前記精算禁止情報を消去するサービス情報消去ステップと
を含む精算方法。
【請求項４０】
所定のサービス情報が要求される場合、所定の金額の有価価値に加えて、精算禁止情報が記録されている有価価値媒体の前記精算禁止情報の有無を判定する判定ステップと、
前記判定ステップの処理により精算禁止情報がある場合、前記所定のサービス情報の要求の解除を受け付ける解除受付ステップと、
前記解除受付ステップの処理により前記所定のサービス情報の要求が解除された場合、前記所定のサービス情報と共に前記精算禁止情報を消去するサービス情報消去ステップと
を含む処理をコンピュータに実行させるプログラム。
【発明の詳細な説明】
【技術分野】
【０００１】
本発明は、管理システムおよび方法、精算販売装置および方法、遊技媒体貸出装置および方法、販売装置および方法、精算装置および方法、並びにプログラムに関し、特に、遊技店において遊技媒体貸出カードを購入し、遊技した遊技客にのみ、遊技店の駐車場の駐車料金を割引サービスできるようにした管理システムおよび方法、精算販売装置および方法、遊技媒体貸出装置および方法、販売装置および方法、精算装置および方法、並びにプログラムに関する。
【背景技術】
【０００２】
有料駐車場の利用にあたり、提携する施設において、遊技料金を支払ったり、商品を購入するなどした場合、駐車料金を割引く駐車料金精算サービスが一般的なものとなりつつある。
【０００３】
例えば、有料駐車場を利用する病院、映画館、宿泊施設、商業施設等の施設利用者または商品購入者に対して施設利用状況または商品購入実績に応じて駐車場サービスチケットが発行され、利用者及び購入者は駐車場から出庫する際に出入口ゲート近傍に設けられた駐車料金精算装置に駐車場サービスチケットを提出する事で駐車場利用料金が割引または無料化される駐車料金精算サービスを受けるというものが提案されている（特許文献１
参照）。
【０００４】
すなわち、上述の手法においては、施設利用料金の支払いまたは商品購入代金の支払いによりサービス提供者とサービス享受者の取引関係が明確な場合にのみ駐車料金精算サービスの提供が可能となる。ところで、いわゆるパチンコ店やパチスロ店などに代表される遊技店で、上述の駐車料金精算サービスを実施しようとした場合、遊技店サービス提供者である遊技店管理者とサービス享受者である遊技者の両者間における取引関係を明確にする為の手段として、遊技媒体（例えば、遊技球やメダルなど）借入時にレシート等を発行し、これをもって取引関係の証明とする方法が考えられる。
【０００５】
しかしながら、多くの遊技店において遊技媒体借入時にレシート等による取引関係の証明を発行する機能を備えた装置が無いのが現状であり、上述した駐車料金精算サービスの提供方法を実施しようとした場合、新たな遊技媒体貸出装置に取引関係の証明を発行する機能を備えた部位の必要があつた。
【０００６】
そこで、上記の問題を解決すべく、遊技店における駐車料金精算サービスの提供方法として、遊技台の遊技情報に基づき駐車料金精算サービスを提供する方法が提案されている（特許文献２参照）。
【０００７】
【特許文献１】特開平２−１４８１９１
【特許文献２】特開平８−２２８６１８
【発明の開示】
【発明が解決しようとする課題】
【０００８】
しかしながら、遊技台の遊技情報に基づいた駐車料金精算サービス提供方法においては、遊技履歴に基づいて駐車料金を割引くため、他店の遊技媒体を不正使用したり、駐車場利用日以前に借り入れた遊技媒体を用いて遊技を行っていても駐車料金の割引サービスを受ける事ができるので、駐車料金精算サービス提供者である遊技店側が駐車場利用当日における遊技媒体または遊技媒体借入可能な有価価値媒体を有償にて購入した遊技者に限定して駐車料金の割引サービスを提供したい場合、本来ならばサービスの提供を受ける対象とはならない遊技者に対してまでも、駐車料金を割引くサービスを提供することになってしまう。
【０００９】
また、遊技店における取引関係を証明する方法として、遊技媒体を借り入れる為に発行されたプリペイドカード等の有価価値媒体を提示することが考えられる。すなわち、駐車料金精算サービスを所望とする遊技者は、遊技店管理者に対して駐車場入場日時が記録された駐車券と、併せて当日に購入したことを示す日付の入った有価価値媒体を提示する事により、駐車料金の割引サービスの提供を受けるようにすることが考えられる。
【００１０】
しかしながら、有価価値媒体は、残高として残されている有価価値を遊技店内に設置された精算機にて精算し、現金化することが可能であるため、このように有価価値媒体をもって、取引関係の証明とみなしてしまうと、遊技意思を持たない駐車場利用者が駐車券と、併せて当日に購入したことを示す日付が入った有価価値媒体を遊技店管理者に提示して、駐車料金の割引サービスの提供を受けた後、遊技媒体の借入実績が無いまま（有価価値媒体を用いて、遊技媒体を借り入れ、実際に遊技台で遊技することが無いまま）、有価価値媒体に記録された有価価値が精算されて現金化されてしまうことがあった。
【００１１】
結果として、遊技意思を持たない駐車場利用者と遊技店管理者との両者間における取引関係が成立しないにもかかわらず、遊技店は、遊技意思を持たない駐車場利用者に対して駐車料金の割引サービスを提供してしまう事になってしまうため、遊技客以外の駐車場利用者に対しても駐車料金の割引サービスに係る負担を請負うという不利益を被る事があった。
【００１２】
本発明はこのような状況に鑑みてなされたものであり、遊技店施設内の駐車場の駐車料金の精算において、遊技店内でプリペイドカードやICコイン等の有価価値媒体を購入し、かつ、その有価価値媒体を利用して遊技媒体を借り入れた遊技店利用者に対してのみ、駐車料金を割引くサービスを提供できるようにするものである。
【課題を解決するための手段】
【００１３】
本発明の第１の側面の管理システムは、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムであって、前記精算販売装置が、所定のサービス情報が要求される場合、所定の金額の前記有価価値に加えて、精算禁止情報を記録して、前記有価価値媒体を発行する有価価値媒体発行手段と、前記有価価値媒体発行手段により発行された後の有価価値媒体より、前記精算禁止情報の有無を判定する判定手段と、前記所定のサービス情報が要求され、かつ、前記判定手段により精算禁止情報がない場合、前記所定のサービス情報を発行するサービス情報発行手段とを含み、前記価値媒体貸出装置が、前記有価価値媒体に記録されている有価価値に基づいて、前記遊技媒体を貸し出す貸出手段と、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段とを含む。
【００１４】
前記所定のサービス情報は、駐車場の駐車料金の割引サービス情報とすることができる。
【００１５】
前記精算販売装置には、前記駐車場で発行される駐車券を受け付け、前記サービス情報発行手段により、前記駐車料金の割引サービス情報が発行された場合、受け付けた前記駐車券に前記駐車料金の割引サービス情報を記録する駐車券受付手段をさらに含ませるようにすることができる。
【００１６】
前記精算販売装置には、前記判定手段により精算禁止情報がない場合、前記有価価値媒体に記録されている有価価値に基づいた金額の精算処理を実行する精算手段をさらに含ませるようにすることができる。
【００１７】
前記精算販売装置には、前記判定手段により精算禁止情報がある場合、前記所定のサービス情報の要求の解除を受け付けたとき、前記有価価値媒体に記録されている精算禁止情報を削除する解除手段をさらに含ませるようにすることができる。
【００１８】
本発明の第１の側面の有価価値媒体は、請求項１に記載の前記有価価値媒体発行手段により所定の金額の前記有価価値に加えて、精算禁止情報が記録され、前記削除手段により前記精算禁止情報が削除されることを特徴とする。
【００１９】
本発明の第１の側面の管理システムの管理方法は、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムの管理方法であって、前記精算販売装置の精算販売方法は、所定のサービス情報が要求される場合、所定の金額の前記有価価値に加えて、精算禁止情報を記録して、前記有価価値媒体を発行する有価価値媒体発行ステップと、前記有価価値媒体発行ステップの処理により発行された後の有価価値媒体より、前記精算禁止情報の有無を判定する判定ステップと、前記所定のサービス情報が要求され、かつ、前記判定ステップの処理により精算禁止情報がない場合、前記所定のサービス情報を発行するサービス情報発行ステップとを含み、前記価値媒体貸出装置の価値媒体貸出方法は、前記有価価値媒体に記録されている有価価値に基づいて、前記遊技媒体を貸し出す貸出ステップと、前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップとを含む。
【００２０】
本発明の第１の側面のプログラムは、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムを制御するコンピュータのうち、前記精算販売装置を制御するコンピュータに、所定のサービス情報が要求される場合、所定の金額の前記有価価値に加えて、精算禁止情報を記録して、前記有価価値媒体を発行する有価価値媒体発行ステップと、前記有価価値媒体発行ステップの処理により発行された後の有価価値媒体より、前記精算禁止情報の有無を判定する判定ステップと、前記所定のサービス情報が要求され、かつ、前記判定ステップの処理により精算禁止情報がない場合、前記所定のサービス情報を発行するサービス情報発行ステップとを含む処理を実行させ、前記価値媒体貸出装置を制御するコンピュータに、前記有価価値媒体に記録されている有価価値に基づいて、前記遊技媒体を貸し出す貸出ステップと、前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップとを含む処理を実行させる。
【００２１】
本発明の第２の側面の精算販売装置は、所定のサービス情報が要求される場合、所定の金額の有価価値に加えて、精算禁止情報を記録して、有価価値媒体を発行する有価価値媒体発行手段と、前記有価価値媒体発行手段により発行された後の有価価値媒体より、前記精算禁止情報の有無を判定する判定手段と、前記所定のサービス情報が要求され、かつ、前記判定手段により精算禁止情報がない場合、前記所定のサービス情報を発行するサービス情報発行手段とを含む。
【００２２】
本発明の第２の側面の精算販売方法は、所定のサービス情報が要求される場合、所定の金額の有価価値に加えて、精算禁止情報を記録して、有価価値媒体を発行する有価価値媒体発行ステップと、前記有価価値媒体発行ステップの処理により発行された後の有価価値媒体より、前記精算禁止情報の有無を判定する判定ステップと、前記所定のサービス情報が要求され、かつ、前記判定ステップの処理により精算禁止情報がない場合、前記所定のサービス情報を発行するサービス情報発行ステップとを含む。
【００２３】
本発明の第２の側面のプログラムは、所定のサービス情報が要求される場合、所定の金額の有価価値に加えて、精算禁止情報を記録して、有価価値媒体を発行する有価価値媒体発行ステップと、前記有価価値媒体発行ステップの処理により発行された後の有価価値媒体より、前記精算禁止情報の有無を判定する判定ステップと、前記所定のサービス情報が要求され、かつ、前記判定ステップの処理により精算禁止情報がない場合、前記所定のサービス情報を発行するサービス情報発行ステップとを含む処理をコンピュータに実行させる。
【００２４】
本発明の第３の側面の価値媒体貸出装置は、所定のサービス情報が要求される場合、所定の金額の有価価値に加えて、精算禁止情報が記録されている有価価値媒体の有価価値に基づいて、遊技媒体を貸し出す貸出手段と、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段とを含む。
【００２５】
本発明の第３の側面の価値媒体貸出方法は、所定のサービス情報が要求される場合、所定の金額の有価価値に加えて、精算禁止情報が記録されている有価価値媒体の有価価値に基づいて、遊技媒体を貸し出す貸出ステップと、前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップとを含む。
【００２６】
本発明の第３の側面のプログラムは、所定のサービス情報が要求される場合、所定の金額の有価価値に加えて、精算禁止情報が記録されている有価価値媒体の有価価値に基づいて、遊技媒体を貸し出す貸出ステップと、前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップとを含む処理をコンピュータに実行させる。
【００２７】
本発明の第４の側面の管理システムは、有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムであって、前記販売装置が、所定のサービス情報が要求される場合、所定の金額の前記有価価値に加えて、精算禁止情報を記録して、前記有価価値媒体を発行する有価価値媒体発行手段を含み、前記精算装置が、前記有価価値媒体発行手段により発行された後の有価価値媒体より、前記精算禁止情報の有無を判定する判定手段と、前記判定手段により精算禁止情報がない場合、前記所定のサービス情報を発行するサービス情報発行手段とを含み、前記価値媒体貸出装置が、前記有価価値媒体に記録されている有価価値に基づいて、前記遊技媒体を貸し出す貸出手段と、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段とを含む。
【００２８】
本発明の第５の側面の販売装置は、所定のサービス情報が要求される場合、所定の金額の有価価値に加えて、精算禁止情報を記録して、有価価値媒体を発行する有価価値媒体発行手段を含む。
【００２９】
本発明の第５の側面の販売方法は、所定のサービス情報が要求される場合、所定の金額の有価価値に加えて、精算禁止情報を記録して、有価価値媒体を発行する有価価値媒体発行ステップを含む。
【００３０】
本発明の第５の側面のプログラムは、所定のサービス情報が要求される場合、所定の金額の有価価値に加えて、精算禁止情報を記録して、有価価値媒体を発行する有価価値媒体発行ステップを含む処理をコンピュータに実行させる。
【００３１】
本発明の第６の側面の精算装置は、所定のサービス情報が要求される場合、所定の金額の有価価値に加えて、精算禁止情報が記録されている有価価値媒体より、前記精算禁止情報の有無を判定する判定手段と、前記判定手段により精算禁止情報がない場合、前記所定のサービス情報を発行するサービス情報発行手段とを含む。
【００３２】
本発明の第６の側面の精算方法は、所定のサービス情報が要求される場合、所定の金額の有価価値に加えて、精算禁止情報が記録されている有価価値媒体より、前記精算禁止情報の有無を判定する判定ステップと、前記判定ステップの処理により精算禁止情報がない場合、前記所定のサービス情報を発行するサービス情報発行ステップとを含む。
【００３３】
本発明の第６の側面のプログラムは、所定のサービス情報が要求される場合、所定の金額の有価価値に加えて、精算禁止情報が記録されている有価価値媒体より、前記精算禁止情報の有無を判定する判定ステップと、前記判定ステップの処理により精算禁止情報がない場合、前記所定のサービス情報を発行するサービス情報発行ステップとを含む処理をコンピュータに実行させる。
【００３４】
本発明の第７の側面の管理システムは、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムであって、前記精算販売装置が、所定のサービス情報が要求される場合、所定の金額の前記有価価値に加えて、精算禁止情報を記録して、前記有価価値媒体を発行する有価価値媒体発行手段と、前記所定のサービス情報が要求されている場合であって、前記有価価値媒体発行手段により前記有価価値媒体が発行されるとき、前記所定のサービス情報を発行するサービス情報発行手段と、前記有価価値媒体発行手段により発行された後の有価価値媒体より、前記精算禁止情報の有無を判定する判定手段と、前記判定手段により精算禁止情報がある場合、前記所定のサービス情報の要求の解除を受け付ける解除受付手段と、前記解除受付手段により前記所定のサービス情報の要求が解除された場合、前記所定のサービス情報と共に前記精算禁止情報を消去するサービス情報消去手段とを含み、前記価値媒体貸出装置が、前記有価価値媒体に記録されている有価価値に基づいて、前記遊技媒体を貸し出す貸出手段と、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段とを含む。
【００３５】
前記所定のサービス情報は、駐車場の駐車料金の割引サービス情報とすることができる。  
【００３６】
前記精算販売装置には、前記駐車場で発行される駐車券を受け付け、前記サービス情報発行手段により、前記駐車料金の割引サービス情報が発行された場合、受け付けた前記駐車券に前記駐車料金の割引サービス情報を記録する駐車券受付手段をさらに含ませるようにすることができる。
【００３７】
前記精算販売装置には、前記判定手段により精算禁止情報がない場合、前記有価価値媒体に記録されている有価価値に基づいた金額の精算処理を実行する精算手段をさらに含ませるようにすることができる。
【００３８】
本発明の第７の側面の価値媒体は、請求項２２に記載の前記有価価値媒体発行手段により所定の金額の前記有価価値に加えて、精算禁止情報が記録され、前記削除手段により前記精算禁止情報が削除されることを特徴とする。
【００３９】
本発明の第７の側面の管理方法は、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムの管理方法であって、前記精算販売装置の精算販売方法が、所定のサービス情報が要求される場合、所定の金額の前記有価価値に加えて、精算禁止情報を記録して、前記有価価値媒体を発行する有価価値媒体発行ステップと、前記所定のサービス情報が要求されている場合であって、前記有価価値媒体発行ステップにより前記有価価値媒体が発行されるとき、前記所定のサービス情報を発行するサービス情報発行ステップと、前記有価価値媒体発行ステップの処理により発行された後の有価価値媒体より、前記精算禁止情報の有無を判定する判定ステップと、前記判定ステップの処理により精算禁止情報がある場合、前記所定のサービス情報の要求の解除を受け付ける解除受付ステップと、前記解除受付ステップの処理により前記所定のサービス情報の要求が解除された場合、前記所定のサービス情報と共に前記精算禁止情報を消去するサービス情報消去ステップとを含み、前記価値媒体貸出方法が、前記有価価値媒体に記録されている有価価値に基づいて、前記遊技媒体を貸し出す貸出ステップと、前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップとを含む。
【００４０】
本発明の第７の側面のプログラムは、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムを制御するコンピュータのうち、前記精算販売装置を制御するコンピュータに、所定のサービス情報が要求される場合、所定の金額の前記有価価値に加えて、精算禁止情報を記録して、前記有価価値媒体を発行する有価価値媒体発行ステップと、前記所定のサービス情報が要求されている場合であって、前記有価価値媒体発行ステップにより前記有価価値媒体が発行されるとき、前記所定のサービス情報を発行するサービス情報発行ステップと、前記有価価値媒体発行ステップの処理により発行された後の有価価値媒体より、前記精算禁止情報の有無を判定する判定ステップと、前記判定ステップの処理により精算禁止情報がある場合、前記所定のサービス情報の要求の解除を受け付ける解除受付ステップと、前記解除受付ステップの処理により前記所定のサービス情報の要求が解除された場合、前記所定のサービス情報と共に前記精算禁止情報を消去するサービス情報消去ステップとを含む処理を実行させ、前記価値媒体貸出装置を制御するコンピュータに、前記有価価値媒体に記録されている有価価値に基づいて、前記遊技媒体を貸し出す貸出ステップと、前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップとを含む処理を実行させる。
【００４１】
本発明の第８の側面の精算販売装置は、所定のサービス情報が要求される場合、所定の金額の有価価値に加えて、精算禁止情報を記録して、有価価値媒体を発行する有価価値媒体発行手段と、前記所定のサービス情報が要求されている場合であって、前記有価価値媒体発行手段により前記有価価値媒体が発行されるとき、前記所定のサービス情報を発行するサービス情報発行手段と、前記有価価値媒体発行手段により発行された後の有価価値媒体より、前記精算禁止情報の有無を判定する判定手段と、前記判定手段により精算禁止情報がある場合、前記所定のサービス情報の要求の解除を受け付ける解除受付手段と、前記解除受付手段により前記所定のサービス情報の要求が解除された場合、前記所定のサービス情報と共に前記精算禁止情報を消去するサービス情報消去手段とを含む。
【００４２】
本発明の第８の側面の精算販売方法は、所定のサービス情報が要求される場合、所定の金額の有価価値に加えて、精算禁止情報を記録して、有価価値媒体を発行する有価価値媒体発行ステップと、前記所定のサービス情報が要求されている場合であって、前記有価価値媒体発行ステップの処理により前記有価価値媒体が発行されるとき、前記所定のサービス情報を発行するサービス情報発行ステップと、前記有価価値媒体発行ステップの処理により発行された後の有価価値媒体より、前記精算禁止情報の有無を判定する判定ステップと、前記判定ステップの処理により精算禁止情報がある場合、前記所定のサービス情報の要求の解除を受け付ける解除受付ステップと、前記解除受付ステップの処理により前記所定のサービス情報の要求が解除された場合、前記所定のサービス情報と共に前記精算禁止情報を消去するサービス情報消去ステップとを含む。
【００４３】
本発明の第８の側面のプログラムは、所定のサービス情報が要求される場合、所定の金額の有価価値に加えて、精算禁止情報を記録して、有価価値媒体を発行する有価価値媒体発行ステップと、前記所定のサービス情報が要求されている場合であって、前記有価価値媒体発行ステップの処理により前記有価価値媒体が発行されるとき、前記所定のサービス情報を発行するサービス情報発行ステップと、前記有価価値媒体発行ステップの処理により発行された後の有価価値媒体より、前記精算禁止情報の有無を判定する判定ステップと、前記判定ステップの処理により精算禁止情報がある場合、前記所定のサービス情報の要求の解除を受け付ける解除受付ステップと、前記解除受付ステップの処理により前記所定のサービス情報の要求が解除された場合、前記所定のサービス情報と共に前記精算禁止情報を消去するサービス情報消去ステップとを含む処理をコンピュータに実行させる。
【００４４】
本発明の第９の側面の管理システムは、有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムであって、前記販売装置が、所定のサービス情報が要求される場合、所定の金額の前記有価価値に加えて、精算禁止情報を記録して、前記有価価値媒体を発行する有価価値媒体発行手段と、前記所定のサービス情報が要求されている場合であって、前記有価価値媒体発行手段により前記有価価値媒体が発行されるとき、前記所定のサービス情報を発行するサービス情報発行手段とを含み、前記精算装置が、前記有価価値媒体発行手段により発行された後の有価価値媒体より、前記精算禁止情報の有無を判定する判定手段と、前記判定手段により精算禁止情報がある場合、前記所定のサービス情報の要求の解除を受け付ける解除受付手段と、前記解除受付手段により前記所定のサービス情報の要求が解除された場合、前記所定のサービス情報と共に前記精算禁止情報を消去するサービス情報消去手段とを含み、前記価値媒体貸出装置が、前記有価価値媒体に記録されている有価価値に基づいて、前記遊技媒体を貸し出す貸出手段と、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段とを含む。
【００４５】
本発明の第９の側面の管理方法は、有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムの管理方法であって、前記販売装置の販売方法が、所定のサービス情報が要求される場合、所定の金額の前記有価価値に加えて、精算禁止情報を記録して、前記有価価値媒体を発行する有価価値媒体発行ステップと、前記所定のサービス情報が要求されている場合であって、前記有価価値媒体発行ステップの処理により前記有価価値媒体が発行されるとき、前記所定のサービス情報を発行するサービス情報発行ステップとを含み、前記精算装置の精算方法が、前記有価価値媒体発行ステップの処理により発行された後の有価価値媒体より、前記精算禁止情報の有無を判定する判定ステップと、前記判定ステップの処理により精算禁止情報がある場合、前記所定のサービス情報の要求の解除を受け付ける解除受付ステップと、前記解除受付ステップの処理により前記所定のサービス情報の要求が解除された場合、前記所定のサービス情報と共に前記精算禁止情報を消去するサービス情報消去ステップとを含み、前記価値媒体貸出装置の価値媒体貸出方法が、前記有価価値媒体に記録されている有価価値に基づいて、前記遊技媒体を貸し出す貸出ステップと、前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップとを含む。
【００４６】
本発明の第９の側面のプログラムは、有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムを制御するコンピュータのうち、前記販売装置を制御するコンピュータに、所定のサービス情報が要求される場合、所定の金額の前記有価価値に加えて、精算禁止情報を記録して、前記有価価値媒体を発行する有価価値媒体発行ステップと、前記所定のサービス情報が要求されている場合であって、前記有価価値媒体発行ステップの処理により前記有価価値媒体が発行されるとき、前記所定のサービス情報を発行するサービス情報発行ステップとを含む処理を実行させ、前記精算装置を制御するコンピュータに、前記有価価値媒体発行ステップの処理により発行された後の有価価値媒体より、前記精算禁止情報の有無を判定する判定ステップと、前記判定ステップの処理により精算禁止情報がある場合、前記所定のサービス情報の要求の解除を受け付ける解除受付ステップと、前記解除受付ステップの処理により前記所定のサービス情報の要求が解除された場合、前記所定のサービス情報と共に前記精算禁止情報を消去するサービス情報消去ステップとを含む処理を実行させ、前記価値媒体貸出装置を制御するコンピュータに、前記有価価値媒体に記録されている有価価値に基づいて、前記遊技媒体を貸し出す貸出ステップと、前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップとを含む処理を実行させる。
【００４７】
本発明の第１０の側面の販売装置は、所定のサービス情報が要求される場合、所定の金額の有価価値に加えて、精算禁止情報を記録して、有価価値媒体を発行する有価価値媒体発行手段と、前記所定のサービス情報が要求されている場合であって、前記有価価値媒体発行手段により前記有価価値媒体が発行されるとき、前記所定のサービス情報を発行するサービス情報発行手段とを含む。
【００４８】
本発明の第１０の側面の販売方法は、所定のサービス情報が要求される場合、所定の金額の有価価値に加えて、精算禁止情報を記録して、有価価値媒体を発行する有価価値媒体発行ステップと、前記所定のサービス情報が要求されている場合であって、前記有価価値媒体発行ステップの処理により前記有価価値媒体が発行されるとき、前記所定のサービス情報を発行するサービス情報発行ステップとを含む。
【００４９】
本発明の第１０の側面のプログラムは、所定のサービス情報が要求される場合、所定の金額の有価価値に加えて、精算禁止情報を記録して、有価価値媒体を発行する有価価値媒体発行ステップと、前記所定のサービス情報が要求されている場合であって、前記有価価値媒体発行ステップの処理により前記有価価値媒体が発行されるとき、前記所定のサービス情報を発行するサービス情報発行ステップとを含む処理をコンピュータに実行させる。  
【００５０】
本発明の第１１の側面の精算装置は、所定のサービス情報が要求される場合、所定の金額の有価価値に加えて、精算禁止情報が記録されている有価価値媒体の前記精算禁止情報の有無を判定する判定手段と、前記判定手段により精算禁止情報がある場合、前記所定のサービス情報の要求の解除を受け付ける解除受付手段と、前記解除受付手段により前記所定のサービス情報の要求が解除された場合、前記所定のサービス情報と共に前記精算禁止情報を消去するサービス情報消去手段とを含む。
【００５１】
本発明の第１１の側面の精算方法は、所定のサービス情報が要求される場合、所定の金額の有価価値に加えて、精算禁止情報が記録されている有価価値媒体の前記精算禁止情報の有無を判定する判定ステップと、前記判定ステップの処理により精算禁止情報がある場合、前記所定のサービス情報の要求の解除を受け付ける解除受付ステップと、前記解除受付ステップの処理により前記所定のサービス情報の要求が解除された場合、前記所定のサービス情報と共に前記精算禁止情報を消去するサービス情報消去ステップとを含む。
【００５２】
本発明の第１１の側面のプログラムは、所定のサービス情報が要求される場合、所定の金額の有価価値に加えて、精算禁止情報が記録されている有価価値媒体の前記精算禁止情報の有無を判定する判定ステップと、前記判定ステップの処理により精算禁止情報がある場合、前記所定のサービス情報の要求の解除を受け付ける解除受付ステップと、前記解除受付ステップの処理により前記所定のサービス情報の要求が解除された場合、前記所定のサービス情報と共に前記精算禁止情報を消去するサービス情報消去ステップとを含む処理をコンピュータに実行させる。
【００５３】
本発明の第１の側面においては、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムであって、前記精算販売装置により、所定のサービス情報が要求される場合、所定の金額の前記有価価値に加えて、精算禁止情報が記録されて、前記有価価値媒体が発行され、発行された後の有価価値媒体より、前記精算禁止情報の有無が判定され、前記所定のサービス情報が要求され、かつ、精算禁止情報がない場合、前記所定のサービス情報が発行され、前記価値媒体貸出装置により、前記有価価値媒体に記録されている有価価値に基づいて、前記遊技媒体が貸し出され、前記有価価値媒体に記録されている有価価値に基づいて、前記遊技媒体が貸し出された場合、前記有価価値媒体に前記精算禁止情報が記録されているとき、前記精算禁止情報が前記有価価値媒体より削除される。
【００５４】
本発明の第２の側面においては、所定のサービス情報が要求される場合、所定の金額の有価価値に加えて、精算禁止情報が記録されて、有価価値媒体が発行され、発行された後の有価価値媒体より、前記精算禁止情報の有無が判定され、前記所定のサービス情報が要求され、かつ、精算禁止情報がない場合、前記所定のサービス情報が発行される。
【００５５】
本発明の第３の側面においては、所定のサービス情報が要求される場合、所定の金額の有価価値に加えて、精算禁止情報が記録されている有価価値媒体の有価価値に基づいて、遊技媒体を貸し出す貸出手段と、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段とを含む。
【００５６】
本発明の第４の側面においては、有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムであって、前記販売装置により、所定のサービス情報が要求される場合、所定の金額の前記有価価値に加えて、精算禁止情報が記録されて、前記有価価値媒体が発行され、前記精算装置により、前記有価価値媒体発行手段により発行された後の有価価値媒体より、前記精算禁止情報の有無が判定され、精算禁止情報がない場合、前記所定のサービス情報が発行され、前記価値媒体貸出装置により、前記有価価値媒体に記録されている有価価値に基づいて、前記遊技媒体が貸し出され、前記有価価値媒体に記録されている有価価値に基づいて、前記遊技媒体が貸し出された場合、前記有価価値媒体に前記精算禁止情報が記録されているとき、前記精算禁止情報が前記有価価値媒体より削除される。
【００５７】
本発明の第５の側面においては、所定のサービス情報が要求される場合、所定の金額の有価価値に加えて、精算禁止情報が記録されて、有価価値媒体が発行される。
【００５８】
本発明の第６の側面においては、所定のサービス情報が要求される場合、所定の金額の有価価値に加えて、精算禁止情報が記録されている有価価値媒体より、前記精算禁止情報の有無が判定され、精算禁止情報がない場合、前記所定のサービス情報が発行される。
【００５９】
本発明の第７の側面においては、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムであって、前記精算販売装置により、所定のサービス情報が要求される場合、所定の金額の前記有価価値に加えて、精算禁止情報が記録されて、前記有価価値媒体が発行され、前記所定のサービス情報が要求されている場合であって、前記有価価値媒体が発行されるとき、前記所定のサービス情報が発行され、発行された後の有価価値媒体より、前記精算禁止情報の有無が判定され、精算禁止情報がある場合、前記所定のサービス情報の要求の解除が受け付けられ、前記所定のサービス情報の要求が解除された場合、前記所定のサービス情報と共に前記精算禁止情報が消去され、前記価値媒体貸出装置により、前記有価価値媒体に記録されている有価価値に基づいて、前記遊技媒体が貸し出され、前記有価価値媒体に記録されている有価価値に基づいて、前記遊技媒体が貸し出された場合、前記有価価値媒体に前記精算禁止情報が記録されているとき、前記精算禁止情報が前記有価価値媒体より削除される。
【００６０】
本発明の第８の側面においては、所定のサービス情報が要求される場合、所定の金額の有価価値に加えて、精算禁止情報が記録されて、有価価値媒体が発行され、前記所定のサービス情報が要求されている場合であって、前記有価価値媒体が発行されるとき、前記所定のサービス情報が発行され、発行された後の有価価値媒体より、前記精算禁止情報の有無が判定され、精算禁止情報がある場合、前記所定のサービス情報の要求の解除が受け付けられ、前記所定のサービス情報の要求が解除された場合、前記所定のサービス情報と共に前記精算禁止情報が消去される。
【００６１】
本発明の第９の側面においては、有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムであって、前記販売装置により、所定のサービス情報が要求される場合、所定の金額の前記有価価値に加えて、精算禁止情報が記録されて、前記有価価値媒体が発行され、前記所定のサービス情報が要求されている場合であって、前記有価価値媒体が発行されるとき、前記所定のサービス情報が発行され、前記精算装置により、発行された後の有価価値媒体より、前記精算禁止情報の有無が判定され、精算禁止情報がある場合、前記所定のサービス情報の要求の解除が受け付けられ、前記所定のサービス情報の要求が解除された場合、前記所定のサービス情報と共に前記精算禁止情報が消去され、前記価値媒体貸出装置により、前記有価価値媒体に記録されている有価価値に基づいて、前記遊技媒体が貸し出され、前記有価価値媒体に記録されている有価価値に基づいて、前記遊技媒体が貸し出された場合、前記有価価値媒体に前記精算禁止情報が記録されているとき、前記精算禁止情報が前記有価価値媒体より削除される。
【００６２】
本発明の第１０の側面においては、所定のサービス情報が要求される場合、所定の金額の有価価値に加えて、精算禁止情報が記録されて、有価価値媒体が発行され、前記所定のサービス情報が要求されている場合であって、前記有価価値媒体が発行されるとき、前記所定のサービス情報が発行される。
【００６３】
本発明の第１１の側面においては、所定のサービス情報が要求される場合、所定の金額の有価価値に加えて、精算禁止情報が記録されている有価価値媒体の前記精算禁止情報の有無が判定され、精算禁止情報がある場合、前記所定のサービス情報の要求の解除が受け付けられ、前記所定のサービス情報の要求が解除された場合、前記所定のサービス情報と共に前記精算禁止情報が消去される。
【００６４】
本発明の第１，４の側面の管理システムにおける、所定のサービス情報が要求される場合、所定の金額の前記有価価値に加えて、精算禁止情報を記録して、前記有価価値媒体を発行する有価価値媒体発行手段とは、例えば、精算禁止情報付加部であり、有価価値媒体とは、例えば、プリペイドカードやICコインであり、前記有価価値媒体発行手段により発行された後の有価価値媒体より、前記精算禁止情報の有無を判定する判定手段とは、例えば、精算禁止情報確認部であり、前記所定のサービス情報が要求され、かつ、前記判定手段により精算禁止情報がない場合、前記所定のサービス情報を発行するサービス情報発行手段とは、例えば、サービス情報付加部であり、サービス情報とは、例えば、駐車料金の割引サービス情報であり、前記有価価値媒体に記録されている有価価値に基づいて、前記遊技媒体を貸し出す貸出手段とは、例えば、遊技媒体払出部であり、遊技媒体とは、例えば、遊技球やメダルであり、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段とは、例えば、精算禁止情報削除部である。
【００６５】
すなわち、遊技球やコインなどの遊技媒体の貸し出しを受けられるプリペイドカードやICコインが販売される際、予め駐車料金の割引サービスなどのサービス情報の提供を受けることが所望とされているとき、有価価値媒体に、遊技媒体の貸し出しを受けられる有価価値と共に、精算禁止情報が記録される。その後、この有価価値媒体が用いられて遊技媒体が貸し出されると、有価価値媒体に記録されていた精算禁止情報が削除される。さらに、有価価値媒体の有価価値が精算される場合、有価価値媒体に精算禁止情報がないとき、サービス情報が発行されて、例えば、駐車券などに記録されることにより、駐車料金の精算時に、駐車料金の割引サービスを受けることができる。
【００６６】
本発明の第７，９の側面の管理システムにおける、所定のサービス情報が要求される場合、所定の金額の前記有価価値に加えて、精算禁止情報を記録して、前記有価価値媒体を発行する有価価値媒体発行手段とは、例えば、精算禁止情報付加部であり、前記所定のサービス情報が要求されている場合であって、前記有価価値媒体発行手段により前記有価価値媒体が発行されるとき、前記所定のサービス情報を発行するサービス情報発行手段とは、例えば、サービス情報付加部であり、サービス情報とは、例えば、例えば、駐車料金の割引サービス情報であり、前記有価価値媒体発行手段により発行された後の有価価値媒体より、前記精算禁止情報の有無を判定する判定手段とは、例えば、精算禁止情報確認部であり、前記判定手段により精算禁止情報がある場合、前記所定のサービス情報の要求の解除を受け付ける解除受付手段とは、例えば、操作部であり、前記解除受付手段により前記所定のサービス情報の要求が解除された場合、前記所定のサービス情報と共にサービス情報と共に前記精算禁止情報を消去するサービス情報消去手段とは、例えば、サービス情報削除部であり、前記有価価値媒体に記録されている有価価値に基づいて、前記遊技媒体を貸し出す貸出手段とは、例えば、遊技媒体払出部であり、遊技媒体とは、例えば、遊技球やメダルであり、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段とは、例えば、精算禁止情報削除部である。
【００６７】
すなわち、遊技球やコインなどの遊技媒体の貸し出しを受けられるプリペイドカードやICコインが販売される際、予め駐車料金の割引サービスなどのサービス情報の提供を受けることが所望とされているとき、有価価値媒体に、遊技媒体の貸し出しを受けられる有価価値と共に、精算禁止情報が記録されると共に、駐車券にサービス情報が記録される。その後、この有価価値媒体が用いられて遊技媒体が貸し出されると、有価価値媒体に記録されていた精算禁止情報が削除される。さらに、有価価値媒体の有価価値が精算される場合、有価価値媒体に精算禁止情報があるとき、サービス情報の解除が促され、これに従い、駐車券からサービス情報が削除されると、有価価値媒体から精算禁止情報が削除されるので、例えば、有価価値媒体を購入し、遊技媒体の貸し出しを受けずに、そのまま精算しようとしても精算禁止情報が記録されているため、有価価値媒体の精算ができず、駐車料金の割引サービス情報の要求の解除が促される。このとき、駐車料金の割引サービス情報の要求が解除されると、駐車券からサービス情報が削除されると共に有価価値媒体から精算禁止情報も削除されるため、有価価値媒体の精算が可能となる。
【００６８】
結果として、いずれにおいても、有価価値媒体を購入して、精算しただけでは、精算禁止情報が削除されないため、サービス情報が発行されないか、または、有価価値媒体の精算ができないことになるので、有価価値媒体を購入し、さらに、遊技媒体の貸し出しを受けた後に、有価価値媒体を精算した遊技者に対してのみ、サービス情報を提供することが可能となる。
【発明の効果】
【００６９】
本発明の第１乃至第１１の側面によれば、有価価値媒体を購入し、かつ、その有価価値媒体を店内で利用した利用者に対してのみ、所定の割引きサービスを提供することが可能となる。
【発明を実施するための最良の形態】
【００７０】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００７１】
本発明の第１の側面の管理システム（例えば、図１の駐車料金管理システム）は、有価価値媒体に有価価値を記録して販売すると共に、前記有価価値媒体の有価価値に基づいて精算する精算販売装置（例えば、図１の精算販売装置２）、および前記有価価値媒体に記録された前記有価価値に基づいて、前記遊技媒体を貸し出す遊技媒体貸出装置（例えば、図１の遊技媒体貸出装置４）からなる管理システムであって、前記精算販売装置が、所定のサービス情報が要求される場合、所定の金額の前記有価価値に加えて、精算禁止情報を記録して、前記有価価値媒体を発行する有価価値媒体発行手段（例えば、図４の精算禁止情報付加部１１１）と、前記有価価値媒体発行手段により発行された後の有価価値媒体より、前記精算禁止情報の有無を判定する判定手段（例えば、図４の精算禁止情報確認部１１２）と、前記所定のサービス情報が要求され、かつ、前記判定手段により精算禁止情報がない場合、前記所定のサービス情報を発行するサービス情報発行手段（例えば、図４のサービス情報付加部１０３）とを含み、前記価値媒体貸出装置が、前記有価価値媒体に記録されている有価価値に基づいて、前記遊技媒体を貸し出す貸出手段（例えば、図４の遊技媒体払出部１３４）と、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段（例えば、図４の精算禁止情報削除部１５２）とを含む。
【００７２】
本発明の第２の側面の精算販売装置、および本発明の第３の側面の価値媒体貸出装置においては、本発明の第１の側面の管理システムと同様であるので、その説明は省略する。
【００７３】
本発明の第１の側面の管理システムの管理方法、およびプログラムは、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムの管理方法であって、前記精算販売装置の精算販売方法は、所定のサービス情報が要求される場合、所定の金額の前記有価価値に加えて、精算禁止情報を記録して、前記有価価値媒体を発行する有価価値媒体発行ステップ（例えば、図９のステップＳ３２の処理）と、前記有価価値媒体発行ステップの処理により発行された後の有価価値媒体より、前記精算禁止情報の有無を判定する判定ステップ（例えば、図１３のステップＳ８３の処理）と、前記所定のサービス情報が要求され、かつ、前記判定ステップの処理により精算禁止情報がない場合、前記所定のサービス情報を発行するサービス情報発行ステップ（例えば、図１３のステップＳ８９の処理）とを含み、前記価値媒体貸出装置の価値媒体貸出方法は、前記有価価値媒体に記録されている有価価値に基づいて、前記遊技媒体を貸し出す貸出ステップ（例えば、図１２のステップＳ５６の処理）と、前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップ（例えば、図１２のステップＳ５９の処理）とを含む。
【００７４】
本発明の第２の側面の精算販売方法およびプログラム、並びに本発明の第３の側面の価値媒体貸出方法およびプログラムにおいては、本発明の第１の側面の管理方法およびプログラムと同様であるので、その説明は省略する。
【００７５】
本発明の第４の側面の管理システムは、有価価値媒体に有価価値を記録して販売する販売装置（例えば、図１７の販売装置２０１）、前記有価価値媒体の有価価値に基づいて精算する精算装置（例えば、図１７の精算装置２０２）、および前記有価価値媒体に記録された前記有価価値に基づいて、前記遊技媒体を貸し出す遊技媒体貸出装置（例えば、図１の遊技媒体貸出装置４）からなる管理システムであって、前記販売装置が、所定のサービス情報が要求される場合、所定の金額の前記有価価値に加えて、精算禁止情報を記録して、前記有価価値媒体を発行する有価価値媒体発行手段（例えば、図１７の精算禁止情報付加部１１１）を含み、前記精算装置が、前記有価価値媒体発行手段により発行された後の有価価値媒体より、前記精算禁止情報の有無を判定する判定手段（例えば、図１８の精算禁止情報確認部１１２）と、前記判定手段により精算禁止情報がない場合、前記所定のサービス情報を発行するサービス情報発行手段（例えば、図１８のサービス情報付加部１０３）とを含み、前記価値媒体貸出装置が、前記有価価値媒体に記録されている有価価値に基づいて、前記遊技媒体を貸し出す貸出手段（例えば、図４の遊技媒体払出部１３４）と、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段（例えば、図４の精算禁止情報削除部１５２）とを含む。
【００７６】
本発明の第４の側面の管理方法およびプログラムについては、本発明の第１の側面の管理方法およびプログラムと同様であるので、その説明は省略する。
【００７７】
本発明の第５の側面の販売装置、方法、およびプログラム、並びに本発明の第６の精算装置、方法、およびプログラムは、第４の管理システム、方法、並びにプログラムと同様であるので、その説明は省略する。
【００７８】
本発明の第７の側面の管理システムは、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムであって、前記精算販売装置が、所定のサービス情報が要求される場合、所定の金額の前記有価価値に加えて、精算禁止情報を記録して、前記有価価値媒体を発行する有価価値媒体発行手段（例えば、図１４の精算禁止情報付加部１１１）と、前記所定のサービス情報が要求されている場合であって、前記有価価値媒体発行手段により前記有価価値媒体が発行されるとき、前記所定のサービス情報を発行するサービス情報発行手段（例えば、図１４のサービス情報付加部２１１）と、前記有価価値媒体発行手段により発行された後の有価価値媒体より、前記精算禁止情報の有無を判定する判定手段（例えば、図１４の精算禁止情報確認部１１２）と、前記判定手段により精算禁止情報がある場合、前記所定のサービス情報の要求の解除を受け付ける解除受付手段（例えば、図１４の操作部８２）と、前記解除受付手段により前記所定のサービス情報の要求が解除された場合、前記所定のサービス情報と共に前記精算禁止情報を消去するサービス情報消去手段（例えば、図１４のサービス情報削除部２１２）とを含み、前記価値媒体貸出装置が、前記有価価値媒体に記録されている有価価値に基づいて、前記遊技媒体を貸し出す貸出手段（例えば、図４の遊技媒体払出部１３４）と、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段（例えば、図４の精算禁止情報削除部１５２）とを含む。
【００７９】
本発明の第７の側面の管理方法およびプログラムは、有価価値媒体に有価価値を記録して販売すると共に、前記有価価値媒体の有価価値に基づいて精算する精算販売装置、および前記有価価値媒体に記録された前記有価価値に基づいて、前記遊技媒体を貸し出す遊技媒体貸出装置からなる管理システムの管理方法であって、前記精算販売装置の精算販売方法が、所定のサービス情報が要求される場合、所定の金額の前記有価価値に加えて、精算禁止情報を記録して、前記有価価値媒体を発行する有価価値媒体発行ステップ（例えば、図１５のステップＳ１３４の処理）と、前記所定のサービス情報が要求されている場合であって、前記有価価値媒体発行ステップにより前記有価価値媒体が発行されるとき、前記所定のサービス情報を発行するサービス情報発行ステップ（例えば、図１５のステップＳ１３０の処理）と、前記有価価値媒体発行ステップの処理により発行された後の有価価値媒体より、前記精算禁止情報の有無を判定する判定ステップ（例えば、図１６のステップＳ１５３の処理）と、前記判定ステップの処理により精算禁止情報がある場合、前記所定のサービス情報の要求の解除を受け付ける解除受付ステップ（例えば、図１６のステップＳ１６８の処理）と、前記解除受付ステップの処理により前記所定のサービス情報の要求が解除された場合、前記所定のサービス情報と共に前記精算禁止情報を消去するサービス情報消去ステップ（例えば、図１６のステップＳ１７３の処理）とを含み、前記価値媒体貸出方法が、前記有価価値媒体に記録されている有価価値に基づいて、前記遊技媒体を貸し出す貸出ステップ（例えば、図１２のステップＳ５６の処理）と、前記貸出ステップの処理により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除ステップ（例えば、図１２のステップＳ５９の処理）とを含む。
【００８０】
本発明の第８の側面の精算販売方法およびプログラムにおいては、本発明の第７の側面の管理方法およびプログラムと同様であるので、その説明は省略する。
【００８１】
本発明の第９の側面の管理システムは、有価価値媒体に有価価値を記録して販売する販売装置、前記有価価値媒体の有価価値に基づいて精算する精算装置、および前記有価価値媒体に記録された前記有価価値に基づいて、前記遊技媒体を貸し出す遊技媒体貸出装置からなる管理システムであって、前記販売装置が、所定のサービス情報が要求される場合、所定の金額の前記有価価値に加えて、精算禁止情報を記録して、前記有価価値媒体を発行する有価価値媒体発行手段（例えば、図１９の精算禁止情報付加部１１１）と、前記所定のサービス情報が要求されている場合であって、前記有価価値媒体発行手段により前記有価価値媒体が発行されるとき、前記所定のサービス情報を発行するサービス情報発行手段（例えば、図１９の精算禁止情報付加部２１１）とを含み、前記精算装置が、前記有価価値媒体発行手段により発行された後の有価価値媒体より、前記精算禁止情報の有無を判定する判定手段（例えば、図２０の精算禁止情報確認部１１２）と、前記判定手段により精算禁止情報がある場合、前記所定のサービス情報の要求の解除を受け付ける解除受付手段（例えば、図２０の操作部８２）と、前記解除受付手段により前記所定のサービス情報の要求が解除された場合、前記所定のサービス情報と共に前記精算禁止情報を消去するサービス情報消去手段（例えば、図２０のサービス情報削除部２１２）とを含み、前記価値媒体貸出装置が、前記有価価値媒体に記録されている有価価値に基づいて、前記遊技媒体を貸し出す貸出手段（例えば、図４の遊技媒体払出部１３４）と、前記貸出手段により前記有価価値媒体に記録されている有価価値に基づいて、前記遊技媒体が貸し出された場合、前記有価価値媒体に前記精算禁止情報が記録されているとき、前記精算禁止情報を前記有価価値媒体より削除する削除手段（例えば、図４の精算禁止情報削除部１５２）とを含む。
【００８２】
本発明の第９の側面の管理方法およびプログラムについては、本発明の第７の側面の管理方法およびプログラムと同様であるので、その説明は省略する。
【００８３】
本発明の第１０の側面の販売装置、方法、およびプログラム、並びに本発明の第１１の精算装置、方法、およびプログラムは、第９の管理システム、方法、並びにプログラムと同様であるので、その説明は省略する。
【００８４】
図１は、本発明に係る遊技店における駐車料金管理システムの一実施の形態の構成を示す図である。この駐車料金管理システムは、いわゆるパチスロ店やパチンコ店などの遊技店に併設される、遊技店で遊技台を遊技する遊技者のうち、自動車で来店する遊技者の自動車２１を駐車する駐車場１１の駐車料金を管理するものである。
【００８５】
ホールコンピュータ１は、遊技店の経営者により管理運営されるコンピュータであり、精算販売装置２−１乃至２−ｍの電源を管理すると共に、動作を監視しており、硬貨切れ、紙幣切れなどのエラーの発報を受けると図示せぬディスプレイなどに表示する。
【００８６】
また、ホールコンピュータ１は、遊技台３−１乃至３−ｎおよび遊技媒体貸出装置４−１乃至４−ｎの動作を監視している。ホールコンピュータ１は、遊技台３の出玉もしくはメダルの払い出しの情報、各遊技台３−１乃至３−ｎの遊技者の呼出し情報、またはエラーの発生などの監視状況に応じて、所定の処理を実行する。尚、精算販売装置２−１乃至２−ｍ、遊技台３−１乃至３−ｎ、および遊技媒体貸出装置４−１乃至４−ｎを個々に区別して称する必要がない場合、単に、精算販売装置２、遊技台３、および遊技媒体貸出装置４と称するものとし、その他の構成についても同様に称するものとする。
【００８７】
精算販売装置２は、遊技台３の夫々に設けられている遊技媒体貸出装置４により遊技媒体の貸し出しを有価価値媒体であるプリペイドカードやICコインなどを販売する。また、精算販売装置２は、有価価値媒体の精算を受け付けて、有価価値媒体の残高に相当する金額を精算金額として払出す。さらに、精算販売装置２は、有価価値媒体を購入する遊技者が、駐車場の利用料金の割引を所望とする場合、駐車券３１に駐車料金を割引くためのサービス情報を記録する。尚、精算販売装置２は、必ずしも通信機能などを備える必要はなく、必要に応じて、ホールコンピュータ１とは独立して設けるようにしても良いものである。
【００８８】
遊技台３は、いわゆるパチンコ遊技台であり、遊技者により遊技媒体貸出装置４よりプリペイドカード、またはICコインなどの有価価値媒体を用いて遊技媒体である遊技球を借り受けて遊技される。尚、ここでは、遊技台３の例としてパチンコ遊技台を用いる場合について説明するが、これ以外の遊技台でもよいことはいうまでもなく、例えば、パチスロ遊技台であってもよい。
【００８９】
駐車場１１は、自動車で来店する遊技者の自動車２１を駐車するスペースである。駐車場１１には、ゲート２２が設けられており、自動車２１が駐車場に進入すると、図３を参照して後述する駐車券発券機６１により駐車券３１が発券される。また、駐車場１１から自動車を出庫する際は、駐車券３１を提示することにより、駐車料金の支払いが行われる。
【００９０】
次に、図２を参照して、精算販売装置２の構成について説明する。
【００９１】
駐車券投入返却口４１は、駐車券３１を投入および返却する。より具体的には、紙幣投入排出口４５より紙幣が投入され、ディスプレイ４３の表示内容に従って、例えば、駐車場の駐車料金の割引サービスを所望とすることを示すように、操作ボタン４４が操作されるとき、ディスプレイ４３は、駐車券３１の提示を求める画面を表示する。このとき、駐車券投入返却口４１は、駐車券３１の投入を受け付け所定の情報を読取った後、返却する。
【００９２】
ICコイン投入口４２は、精算用のICコインの投入を受け付ける。精算用のICコインが投入されると、ICコインのIC部に記録された有価価値の残高に基づいて、精算金額が計算され、精算金額が紙幣投入排出口４５より排出される。
【００９３】
また、紙幣投入排出口４５より紙幣が投入され、ディスプレイ４３の表示内容に従って、所定の金額を選択する操作ボタン４４が操作されるとき、対応する有価価値の情報を有価価値媒体であるICコインのIC部に記録し、有価価値が記録された有価価値媒体としてICコイン排出口４６に排出する。ここで、ICコインとは、IC部を備えたコインであり、IC部に有価価値やその他の情報を記録して、いわゆるプリペイドカードなどと同様に使用するものである。
【００９４】
次に、図３を参照して、ゲート２２の構成について説明する。
【００９５】
ゲート２２は、図中の下部で示される自動車２１が駐車場１１に入場する入場口と、図中の上部で示される駐車場１１から退場する退場口とからなり、それぞれに開閉式の入口ゲート６４および出口ゲート７２が設けられている。
【００９６】
図３の下部で示されるように、ゲート２２の入場口には、入口ゲート前センサ６２が設けられており、自動車２１−１が、ゲート２２の入場口に進入すると自動車２１−１の進入を検知する。また、ゲート２２の入場口には、駐車券発行部６１が設けられており、入口ゲート前センサ６２により自動車２１−１の進入が検知されると、駐車券を発券する。
【００９７】
入口ゲート開閉制御部６５は、駐車券発券装置６１により発券された駐車券が抜き取られると、入口ゲート６４を開放し、自動車２１−１の進入を可能にする。入口ゲート開閉制御部６５の後段には、入口ゲート後センサ６３が設けられており、自動車２１−１の進入を検知する。入口ゲート開閉制御部６５は、入口ゲート後センサ６３が自動車２１−１を検知しない状態となったとき、自動車２１−１が入口ゲート６４を通過したとみなし、入口ゲート６４を閉じる。
【００９８】
一方、ゲート２２の退場口には、駐車料金精算装置７１が設けられており、駐車券発行部６１により発行された駐車券に基づいて、駐車料金の精算処理を実行する。出口ゲート開閉制御部７４は、駐車料金精算装置７１により駐車料金の精算が終了すると、出口ゲート７２を開放し、駐車場１１から自動車２１−２が退場できるようにする。出口ゲート７２の後段には、出口ゲートセンサ７３が設けられており、出口ゲート７２を通過した自動車２１−２を検知する。出口ゲート開閉制御部７４は、出口ゲートセンサ７３において自動車２１−２が検知されない状態となったとき、出口ゲート７２を閉じる。
【００９９】
次に、図４を参照して、精算販売装置２の一実施の形態の構成について説明する。
【０１００】
精算販売装置２は、制御部８１、操作部８２、表示部８３、現金処理部８４、駐車券受付部８５、および有価価値媒体投入発行部８６から構成される。
【０１０１】
制御部８１は、マイクロコンピュータなどから構成され、精算販売装置２の動作の全体を制御する。操作部８２は、選択ボタン４４（図２）から構成されており操作内容に応じた信号を発生して、制御部８１に供給する。
【０１０２】
表示部８３は、図２におけるディスプレイ４３から構成されており、制御部８１により制御にされ、ICコインの販売処理および精算処理において、遊技者に対して必要とされる情報を表示する。
【０１０３】
現金処理部８４は、紙幣投入排出口４５を制御し、紙幣が投入されるとその投入を検知し、図示せぬ格納部に格納すると共に、必要に応じて釣銭となる紙幣を排出する。
【０１０４】
駐車券受付部８５は、駐車識別情報確認部１０１、入庫情報確認部１０２、およびサービス情報付加部１０３から構成されており、駐車券投入返却口４１を制御して、駐車券３１の投入があった場合、それを検知して、図示せぬ格納部に格納すると共に、必要に応じて駐車料金を割引くための駐車サービス対応可能情報を駐車券に記録し、駐車券投入返却口４１を制御して、返却する。
【０１０５】
駐車識別情報確認部１０１は、駐車券投入返却口４１に投入された駐車券が、遊技店に併設された駐車場１１の駐車券発券装置６１により発券された駐車券であるか否かを確認する。また、入庫情報確認部１０２は、駐車券に記録されている、自動車２１が駐車場１１に入場した日時の情報に基づいて、当日の営業時間内に入場した自動車２１に対して発券されたことを示す入庫情報が記録されているか否かを確認する。サービス情報付加部１０３は、所定の条件が揃ったとき、駐車券投入返却口４１に投入された駐車券に、駐車場１１の駐車料金を割引くサービス情報を記録する。
【０１０６】
有価価値媒体投入発行部８６は、精算禁止情報付加部１１１、精算禁止情報確認部１１２、遊技度数付加部１１３、遊技度数確認部１１４、駐車サービス対応可能情報付加部１１５、および駐車情報対応情報確認部１１６から構成されており、ICコイン販売時に販売用のICコインに精算禁止情報、および遊技度数情報を記録すると共に、必要に応じて、サービス情報を記録する。また、精算時には、有価価値媒体投入発行部８６は、ICコインの残遊技度数を読み出し精算金額の情報を制御部に供給する。
【０１０７】
精算禁止情報付加部１１１は、ICコインの販売時に、販売用ICコインに精算禁止情報を記録する。精算禁止情報確認部１１２は、ICコインの精算時に、精算用ICコインに精算禁止情報が記録されているか否かを確認する。遊技度数付加部１１３は、ICコイン販売時に、販売用ICコインに有価価値である遊技度数を記録する。遊技度数確認部１１４は、ICコインの精算時に、精算用ICコインに記録されている残りの遊技度数を確認する。駐車サービス対応可能情報付加部１１５は、ICコインの販売時に、駐車料金の割引サービスを受けるためのサービス情報が要求された場合、販売用ICコインに駐車料金のサービス情報が要求されていることを示す駐車サービス対応可能情報を記録する。駐車サービス対応可能情報確認部１１６は、ICコインの精算時に、精算用ICコインに駐車料金のサービス情報が記録されているか否かを確認する。
【０１０８】
次に、図５を参照して、遊技媒体貸出装置４の一実施の形態の構成について説明する。
【０１０９】
遊技媒体貸出装置４は、制御部１３１、操作部１３２、表示部１３３、遊技媒体払出部１３４、および有価価値媒体投入返却部１３５から構成される。
【０１１０】
制御部１３１は、遊技媒体貸出装置４の動作の全体を制御している。操作部１３２は、ボタンなどから構成され、遊技媒体の貸し出しが希望されるとき操作され、操作内容に対応した信号を発生し、制御部１３１に供給する。表示部１３３は、操作内容および動作内容に応じた情報を表示する。遊技媒体払出部１３４は、操作部１３２が操作されて、遊技媒体の貸し出しが要求されると、対応して貸し出す所定数の遊技媒体を払出す。
【０１１１】
有価価値媒体投入返却部１３５は、精算禁止情報確認部１５１、精算禁止情報削除部１５２、遊技度数確認部１５３、遊技度数更新部１５４、および駐車サービス対応可能情報確認部１５５から構成されている。
【０１１２】
精算禁止情報確認部１５１は、ICコイン投入口より投入されたICコインに記録されている情報に、精算禁止情報が記録されているか否かを確認する。精算禁止情報削除部１５２は、遊技媒体の貸し出しがなされた場合、精算禁止情報がICコインに記録されているとき、精算禁止情報を削除する。
【０１１３】
遊技度数確認部１５３は、ICコインに記録されている遊技度数を確認する。遊技度数更新部１５４は、貸し出された遊技媒体の数に応じて、ICコインに記録されている遊技度数を更新する。駐車サービス対応可能情報確認部１５５は、ICコインに駐車サービス対応可能情報が記録されているか否かを確認する。
【０１１４】
次に、図６を参照して、ゲート２２の入場口である入口ゲート管理装置１６１の一実施の形態の構成について説明する。入口ゲート管理装置１６１は、駐車券発行部６１、入口ゲート前センサ６２、入口ゲート後センサ６３、入口ゲート開閉制御部６５から構成されている。
【０１１５】
入口ゲート開閉制御部６５は、入口ゲート前センサ６２が、図３の下部で示されるように、自動車２１−１が入場口に進入すると、自動車２１−１の進入を検知し、検知した結果を駐車券発行部６１に供給する。駐車券発行部６１は、駐車識別情報メモリ１７１、および入庫情報発生部１７２より構成され、入口ゲート前センサ６２より入場口に自動車２１の進入が検知されたことを示す信号が供給されたとき、駐車券３１を発行する。駐車券発行部６１は、発行した駐車券３１が抜き取られると、対応する信号を発生し、入口ゲート開閉制御部６５に供給する。
【０１１６】
駐車識別情報メモリ１７１には、駐車場１１を識別する駐車識別情報が記憶されており、駐車券３１が発行されるとき、駐車券発行部６１は、駐車識別情報メモリ１７１より駐車識別情報を読み出して、駐車券３１に記録する。入庫情報発生部１７２は、駐車場１１に自動車２１が入場した日時の情報を入庫情報として発生し、駐車券発行部６１は、入庫情報発生部１７２により発生された入庫情報を駐車券３１に記録する。
【０１１７】
さらに、入口ゲート開閉制御部６５は、駐車券発行部６１より発行された駐車券３１が入場口に進入してきた自動車２１に乗車している遊技者により抜き取られたことを示す信号が供給されると、入口ゲート６４を開放する。また、入口ゲート後センサ６３は、自動車２１を検知したとき、対応する信号を発生し入口ゲート開閉制御部６５に供給する。入口ゲート開閉制御部６５は、入口ゲート後センサ６３より自動車２１が一端検知されたことを示す信号が供給された後、信号の供給が停止したとき、自動車２１が入口ゲート６４を通過したとみなし、入口ゲート６４を閉じる。
【０１１８】
次に、図７を参照して、ゲート２２の退場口を構成する出口ゲート管理装置１８１について説明する。
【０１１９】
出口ゲート管理装置１８１は、精算部７１、出口ゲートセンサ７３、出口ゲート開閉制御部７４、現金処理部１９１、駐車券受付部１９２、および表示部１９３から構成されている。
【０１２０】
精算部７１は、駐車券受付部１９２により受け付けられた駐車券の情報を読み出し、その情報に基づいて精算金額を計算し、精算金額を表示部１９３に表示する。駐車券受付部１９２は、駐車識別情報確認部２０１、入庫情報確認部２０２、およびサービス情報読取部２０３から構成されている。駐車識別情報確認部２０１は、投入された駐車券３１に記録されている駐車識別情報を読み出し、自らの駐車場１１の駐車券発行部６１により発行された駐車券を示す駐車識別情報であるか否かを確認し、精算部７１に供給する。
【０１２１】
入庫情報確認部２０２は、駐車券３１に記録されている情報に基づいて、駐車場１１に入場した日時の情報を確認し、精算部７１に供給する。サービス情報読取部２０３は、駐車券３１に記録されている情報に基づいて、サービス情報が記録されているか否かを確認すると共に、サービス情報がある場合、精算部７１にその旨を通知する。
【０１２２】
精算部７１は、駐車券受付部１９２より供給される駐車識別情報確認結果、入庫情報確認結果、およびサービス情報読取結果に基づいて、必要に応じてサービス情報による割引を考慮して、駐車料金を精算し、表示部１９３に表示すると共に、現金処理部１９１を制御して、精算金額が入金されると、必要に応じて釣銭を返却し、精算金額が入金されたことを示す信号を出口ゲート開閉制御部７４に供給する。
【０１２３】
出口ゲート開閉制御部７４は、精算金額が入金されたことを示す信号が精算部７１より供給されるとき、出口ゲート７２を開放し、さらに、その後、出口ゲートセンサ７３が自動車２１を検知しない状態となったとき、出口ゲートを閉じる。
【０１２４】
次に、図８のフローチャートを参照して、入庫処理について説明する。
【０１２５】
ステップＳ１において、駐車券発行部６１は、入口ゲート前センサ６２より自動車２１の進入があったことを示す信号があるか否かに基づいて、自動車２１の進入があったか否かを判定し、進入があったと判定するまで同様の処理を繰り返す。例えば、図３の下部で示されるように、自動車２１−１の進入があり、入口ゲート前センサ６２が自動車２１−１を検知した場合、駐車券発行部６１は、自動車の進入があったと判定し、ステップＳ２において、駐車券３１を発行する。より具体的には、駐車券発行部１７１は、駐車識別情報メモリ１７１に記憶されている駐車場１１を識別する情報を読み出して、駐車券３１に記録すると共に、入庫情報発生部１７２により発生される自動車２１が駐車場１１に入庫した日時の情報を駐車券３１に記録して発行し、入口ゲートに進入した自動車２１に乗車したまま抜き取れる位置で遊技客に対して駐車券３１を排出する。
【０１２６】
ステップＳ３において、駐車券発行部６１は、発行した駐車券３１が抜き取られたか否かを判定し、抜き取られるまでその処理を繰り返す。ステップＳ３において、駐車券３１が抜き取られたと判定された場合、ステップＳ４において、駐車券発行部６１は、駐車券が抜き取られたことを示す信号を発生し、入口ゲート開閉制御部６５に供給する。これに基づいて、入口ゲート開閉制御部６５は、入口ゲート６４（図３）を開放する。
【０１２７】
ステップＳ５において、入口ゲート開閉制御部６５は、自動車２１が入口ゲート６４を通過したか否かを判定する。より詳細には、入口ゲート開閉制御部６５は、入口ゲート後センサ６３より入口ゲート６４を通過した後、自動車２１を検知した状態から検知しない状態となったか否かにより、自動車２１が入口ゲート６４を通過したか否かを判定する。
【０１２８】
ステップＳ５において、自動車２１が入口ゲート６４を通過したと判定した場合、ステップＳ６において、入口ゲート開閉制御部６５は、入口ゲート６４を閉じ、その処理は、ステップＳ１に戻り、それ以降の処理が繰り返される。
【０１２９】
すなわち、以上の処理により、自動車２１が駐車場１１のゲート２２の入口に進入すると、駐車識別情報および入庫情報が記録された駐車券３１が発行され、発行された駐車券３１が抜き取られると入口ゲート６４が開放され、自動車２１が駐車場１１内に入場できる。従って、駐車場１１を利用する自動車２１を運転してきた遊技者は、いずれも駐車券３１を所持している。以降の処理において、駐車券３１とは、図８のフローチャートを参照して説明した、入庫処理により発行された駐車券３１をさすものとする。
【０１３０】
次に、図９のフローチャートを参照して、有価価値媒体であるICコインの販売処理について説明する。
【０１３１】
ステップＳ２１において、制御部８１は、現金処理部８４を制御して、紙幣投入排出口４５に現金が投入されたか否かを判定し、現金が投入されたと判定されるまで、その処理を繰り返す。ステップＳ２１において、例えば、遊技者が遊技台３にて遊技をするために、有価価値媒体であるICカードを購入するため、現金を紙幣投入排出口４５に現金を投入した場合、現金が投入されたと判定され、その処理は、ステップＳ２２に進む。
【０１３２】
ステップＳ２２において、制御部８１は、現金処理部８４を制御して、紙幣投入排出口４５に投入された金額の情報を取得し、表示部８３を制御して、投入された金額と共に、投入された金額で購入可能なICコインの金額を表示し、いずれかの金額の選択を促す画面を表示する。
【０１３３】
ステップＳ２３において、制御部８１は、操作部８２を制御して、選択ボタン４４が操作されて、いずれかのICコインの金額が選択されたか否かを判定し、いずれかの金額が選択されるまで、その処理を繰り返す。
【０１３４】
ステップＳ２３において、例えば、いずれかの金額が選択された場合、ステップＳ２４において、制御部８１は、表示部８３を制御して、駐車サービスを利用するか否かを選択するように促す画面をディスプレイ４３に表示させる。すなわち、駐車場１１に自動車２１を駐車させて来店した遊技客に対しては、駐車料金を割り引く駐車サービスを提供することが前提となっており、ステップＳ２３の処理においては、この駐車サービスの提供を所望とするか否かが、遊技客に問われることとなる。
【０１３５】
ステップＳ２５において、制御部８１は、操作部８２を制御して、駐車サービスの利用が選択されたか否かを判定し、例えば、駐車サービスの利用が選択された場合、ステップＳ２６において、表示部８３を制御して、駐車券３１を駐車券投入返却口４１に投入することを促す画面をディスプレイ４３に表示させる。
【０１３６】
ステップＳ２７において、制御部８１は、駐車券受付部８５を制御して、駐車券投入返却口４１に駐車券３１が投入されたか否かを判定し、投入されたと判定されるまで、その処理を繰り返す。例えば、ステップＳ２７において、駐車券３１が投入されたと判定された場合、ステップＳ２８において、制御部８１は、駐車券受付部８５を制御して、駐車識別情報はＯＫであるか否かを判定する。すなわち、駐車券受付部８５は、制御部８１により制御されて、駐車識別情報確認部１０１を制御して、投入された駐車券３１に記録された情報のうち駐車識別確認情報を読み出し、自らの遊技店で駐車サービスの適用が受けられる駐車場１１にて発行された駐車券３１であるか否かを判定する。例えば、自らの遊技店で駐車サービスの適用が受けられる駐車場１１にて発行された駐車券３１であると判定された場合、その処理は、ステップＳ２９に進む。
【０１３７】
ステップＳ２９において、制御部８１は、駐車券受付部８５を制御して、入庫情報がＯＫであるか否かを判定する。すなわち、駐車券受付部８５は、制御部８１により制御されて、入庫情報確認部１０２を制御して、投入された駐車券３１に記録された情報のうち入庫情報を読み出し、当日の遊技店の開店時間中に発行された駐車券であるか否かを判定する（実質的には、開店後に遊技する遊技者の駐車券であるか否かを確認するだけなので、日付のみを確認すればことは足りる）。例えば、ステップＳ２９において、当日の遊技店の開店時間中に発行された駐車券であると判定された場合、ステップＳ３０において、制御部８１は、駐車券受付部８５を制御して、駐車券投入返却口４１に投入された駐車券３１を返却させる。
【０１３８】
ステップＳ３１において、制御部３１は、駐車券受付部８５を制御して、駐車券投入返却口４１より返却された駐車券３１が抜き取られたか否かを判定し、抜き取られるまでその処理を繰り返す。例えば、ステップＳ３１において、駐車券投入返却口４１より返却された駐車券３１が抜き取られたと判定された場合、ステップＳ３２において、制御部３１は、表示部８３に駐車サービスの利用が可能であることを示す情報を表示させると共に、有価価値媒体投入発行部８６を制御して、有価価値媒体であるICコインに駐車サービス対応可能情報および精算禁止情報を記録させる。より詳細には、有価価値媒体投入発行部８６は、予め図示せぬホッパなどに貯留されている、IC部に情報が何ら記録されていないICコインを１枚抜き出し、精算禁止情報付加部１１１および駐車サービス対応可能情報付加部１１５をそれぞれ制御して、そのICコインに精算禁止情報および駐車サービス対応可能情報を記録させる。
【０１３９】
ステップＳ３３において、制御部３１は、有価価値媒体投入発行部８６を制御して、選択された金額に対応する遊技度数情報を販売用のICコインに記録させる。すなわち、有価価値媒体投入発行部８６は、制御部８１により制御され、遊技度数付加部１１３が、ステップＳ２２，Ｓ２３の処理で、提示された金額のうち、選択された金額に基づいて、対応する金額の有価価値情報である、遊技度数情報を販売用のICコインに記録する。
【０１４０】
ステップＳ３４において、有価価値媒体投入発行部８６は、販売用のICコインを発行する。すなわち、有価価値媒体投入発行部８６は、遊技度数情報が記録された販売用のICコインをICコイン排出口４６から排出させる。
【０１４１】
ステップＳ３５において、制御部８１は、投入された現金に対して、遊技度数情報に記録する金額として選択された分を差し引いた金額、すなわち、釣銭が存在するか否かを判定し、釣銭が存在する場合、ステップＳ３６において、現金処理部８４を制御して、釣銭に相当する現金を紙幣投入排出口４５から排出させ、その処理は、ステップＳ２１に戻り、それ以降の処理が繰り返される。
【０１４２】
ステップＳ３５において、釣銭がないと判定された場合、ステップＳ３６の処理はスキップされる。
【０１４３】
すなわち、今の場合、以上の処理により、図１０の上部で示されるように、販売用のICコイン２１１は、ステップＳ３３の処理で記録される遊技度数情報２２１、ステップＳ３２の処理で記録される精算禁止情報２２２、および駐車サービス対応可能情報２２３が記録された状態で販売される。ここで、精算禁止情報とは、ICコインが後述する精算処理時に精算販売装置２に投入されたとき、精算の禁止を示す情報であり、駐車サービス対応可能情報とは、駐車サービスの提供を受けることを所望とした遊技者に対して発行されたICコインでることを示す情報である。
【０１４４】
一方、ステップＳ２５において、駐車サービスの利用が選択されなかった場合、ステップＳ２６乃至Ｓ３２の処理、および、後述するステップＳ３７の処理がスキップされる。すなわち、この場合、駐車サービスを利用する際に必要とされる精算禁止情報、および駐車サービス対応可能情報が記録されないことになるため、図１１で示されるように、発行される販売用のICコイン２１１には、遊技度数情報２２１のみが記録された状態で販売されることになる。
【０１４５】
さらに、ステップＳ２８において、駐車識別情報がＯＫではない場合、すなわち、遊技店にて提携していない駐車場１１で発行されたと思われる駐車券３１であった場合、または、ステップＳ２９において、入庫情報がＯＫではない場合、すなわち、当日の営業時間内に発行された駐車券３１ではない場合、ステップＳ３７において、制御部８１は、表示部８３を制御して、駐車サービスを利用することができなことを表示させる。
【０１４６】
以上の処理により、駐車サービスの利用を希望する遊技者には、販売用ICコインに、通常の遊技媒体貸出装置４により遊技媒体の貸し出しを受けるための遊技度数情報２２１に加えて、後述する駐車サービスを利用する際に必要となる、精算禁止情報２２２および駐車サービス対応可能情報２２３が記録される。結果として、駐車サービス対応可能情報２２３によりICコインの所持者が、駐車サービスの利用を要求していることを認識することが可能になると共に、精算禁止情報２２２が付加されるので、このまま後述する精算処理を行おうとした場合、仮に、ICコインの遊技度数が残されていても、精算することができないので、現金化することができず、遊技店において遊技することなく併設の駐車場１１のみを利用して、駐車サービスの適用を受けられないようにすることが可能となる。
【０１４７】
次に、図１２のフローチャートを参照して、遊技媒体貸出処理について説明する。
【０１４８】
ステップＳ５１において、遊技媒体貸出装置４の制御部１３１は、有価価値媒体投入返却部１３５を制御して、ICコインが投入されたか否かを判定し、ICコインが投入されるまでその処理を繰り返す。例えば、遊技者が、遊技台３にて遊技を開始する際、図９のフローチャートを参照して説明した販売処理により購入したICコインをICコイン投入口４１に投入して遊技媒体を借りようとしたとき、ICコインが投入されたと判定され、その処理は、ステップＳ５２に進む。
【０１４９】
ステップＳ５２において、制御部１３１は、有価価値媒体投入返却部１３５を制御して、投入されたICコインに記録されている情報を読み出させる。より具体的には、有価価値媒体投入返却部１３５の精算禁止情報確認部１５１は、ICコインに記録されている情報のうち、精算禁止情報の有無を確認し、制御部１３１に供給する。さらに、遊技度数確認部１５３は、投入されたICコインに記録されている遊技度数情報を読み出して、遊技度数を確認し、制御部１３１に供給する。
【０１５０】
ステップＳ５３において、遊技度数確認部１５３は、遊技度数があるか、すなわち、少なくとも遊技度数では０よりも大きな値となっているか否かを判定する。ステップＳ５３において、例えば、遊技度数があると判定された場合、ステップＳ５４において、制御部１３１は、表示部１３３を制御して、遊技媒体を貸出することが可能であることを示す情報を表示させる。
【０１５１】
ステップＳ５５において、制御部１３３は、操作部１３２を制御して、遊技媒体の貸し出しが指示されたか否かを判定する。例えば、ステップＳ５５において、操作部１３２が遊技者により操作されて、遊技媒体の貸し出しが指示された場合、ステップＳ５６において、制御部１３１は、遊技媒体払出部１３４を制御して、遊技台３の図示せぬ受皿に所定数の遊技媒体を払い出す。すなわち、例えば、貸し出される遊技媒体が遊技球である場合、遊技台３の図示せぬ上皿部分に遊技球が払い出される。
【０１５２】
ステップＳ５７において、制御部１３３は、有価価値媒体投入返却部１３５を制御して、払い出した遊技媒体の数に応じて遊技度数を更新させる。より具体的には、有価価値媒体投入返却部１３５の遊技度数更新部１５４は、払い出した遊技媒体の数に相当する金額の遊技度数を減算して更新する。
【０１５３】
ステップＳ５８において、制御部１３１は、有価価値媒体投入返却部１３５に対して、今現在投入されているICコインに精算禁止情報が記録されているか否かを判定させる。より具体的には、遊技媒体貸出装置４の精算禁止情報確認部１５３が、ICコインに精算禁止情報が記録されているか否かを判定する。ステップＳ５８において、例えば、精算禁止情報が記録されている場合、ステップＳ５９において、制御部１３１は、有価価値媒体投入返却部１３５を制御して、ICコインに記録されている精算禁止情報を削除させ、その処理は、ステップＳ５３に戻る。より具体的には、有価価値媒体投入返却部１３５は、精算禁止情報削除部１５２を制御して、図１０の上部で示されるICコイン２１１の遊技度数情報２２１、精算禁止情報２２２、および駐車サービス対応可能情報２２３のうち、ICコインに記録されている精算禁止情報２２２を削除させ、図１０の下部で示されるような、ICコイン２１１で示されるように遊技度数情報２２１、および駐車サービス対応可能情報２２３からなるICコイン２１１にする。一方、ステップＳ５８において、精算禁止情報が記録されていないと判定された場合、ステップＳ５９の処理は、スキップされる。
【０１５４】
以上の処理により、ICコインに記録されている遊技度数が遊技媒体の貸し出しにより更新されると、併せて、精算禁止情報が削除されることになる。従って、１個のICコインについて、一度でも遊技媒体の貸し出し処理が実行されると、ステップＳ５９の精算禁止情報の削除処理が実行されることになるので、一度でも遊技媒体の貸し出しがなされれば、精算処理が可能となる。また、一度でも遊技媒体の貸し出しがなされれば、精算禁止情報が削除されるので、後述する精算処理時に、駐車料金の割引を受けるためのサービス情報の提供を受けることが可能となり、有価価値媒体であるICコインを購入し、そのICコインで遊技媒体を借り受けた遊技者にのみ、サービス情報を提供することが可能となる。
【０１５５】
一方、ステップＳ５５において、遊技媒体の貸出が指示されていない場合、ステップＳ６０において、制御部１３１は、操作部１３２の操作に基づいて、投入されたICコインの返却が指示されているか否かを判定し、返却が指示されない場合、その処理は、ステップＳ５５に戻る。従って、貸出も返却も指示されない場合、ステップＳ５５，Ｓ６０の処理が繰り返される。ステップＳ６０において、例えば、返却が指示された場合、ステップＳ６１において、制御部１３１は、有価価値媒体投入返却部１３５を制御して、投入されたICコインを排出し、その処理は、ステップＳ５１に戻る。
【０１５６】
さらに、ステップＳ５３において、遊技度数がない、すなわち、投入されたICコインでは、遊技媒体を借り受けることができない場合、ステップＳ６２において、制御部１３１は、有価価値媒体投入返却部１３５を制御して、投入されているICコインに駐車サービス対応可能情報が記録されているか否かを判定する。例えば、ステップＳ６２において、駐車サービス対応可能情報が記録されていると判定された場合、ステップＳ６３において、制御部１３１は、有価価値媒体投入返却部１３５を制御して、ICコイン返却部４６よりICコインを返却する。一方、ステップＳ６２において、駐車サービス対応可能情報がないと判定された場合、ステップＳ６４において、制御部１３１は、有価価値媒体投入返却部１３５は、ICコインを回収する。
【０１５７】
すなわち、駐車サービス対応可能情報が記録されているということは、ICコインを購入する際、遊技者は、駐車料金の割引サービスを所望としていたことを示している。一方、駐車料金の割引サービスは、ICコインを精算販売装置２にて精算するときにのみ享受し得るものである。そこで、ICコインに記録されている遊技度数が０であっても、駐車料金の割引サービスの適用を受けるためには、遊技者は、ICコインを所持している必要があるため、駐車サービス対応可能情報が記録されているときには、ICコインが返却され、駐車サービス対応可能情報が記録されていないときには、ICコインが回収される。
【０１５８】
以上の処理により、遊技度数がなく、ICコインに精算禁止情報が記録されていない場合であっても、駐車サービス対応可能情報が有るときに限り、駐車料金の割引サービスを提供するためにICコインを返却し、それ以外のとき、ICコインを回収することができるので、サービスの提供に影響しない範囲で、効率良く使用済みのICコインを回収することが可能となる。
【０１５９】
次に、図１３のフローチャートを参照して、精算処理について説明する。
【０１６０】
ステップＳ７１において、制御部８１は、有価価値媒体投入発行部８６を制御して、ICコイン４２に精算用のICコインが投入されたか否かを判定し、投入されたと判定されるまでその処理が繰り返される。例えば、ステップＳ７１において、精算用のICコインが投入されたと判定された場合、ステップＳ７２において、制御部８１は、有価価値媒体投入発行部８６は、ICコインに記録されている情報を読み出させる。より詳細には、精算禁止情報確認部１１２が、精算禁止情報が記録されているか否かを確認し、遊技度数確認部１１４が遊技度数を確認し、駐車サービス対応可能情報確認部１１６が駐車サービス対応可能情報を確認する。
【０１６１】
ステップＳ７３において、制御部８１は、精算禁止情報確認部１１２の確認結果に基づいて、投入された精算用のICコインに精算禁止情報があるか否かを判定する。例えば、ステップＳ７３において、精算禁止情報が記録されていないと判定された場合、ステップＳ７４において、制御部８１は、駐車サービス対応可能情報確認部１１４の確認結果に基づいて、投入された精算用のICコインに駐車サービス対応可能情報が記録されているか否かを判定する。例えば、ステップＳ７４において、駐車サービス対応可能情報が記録されていると判定された場合、ステップＳ７５において、制御部８１は、表示部８３を制御して、駐車券３１の投入を促す画面を表示させる。
【０１６２】
ステップＳ７６において、制御部８１は、駐車券受付部８５を制御して、駐車券投入口４１より駐車券３１が投入されたか否かを判定し、投入されたと判定されるまで、その処理を繰り返す。ステップＳ７６において、駐車券３１が投入されたと判定された場合、ステップＳ７７において、制御部８１は、駐車券受付部８５（の駐車識別情報確認部１０１）を制御して駐車識別情報がＯＫであるか否かを判定する。ステップＳ７７において、例えば、駐車識別情報がＯＫであると判定された場合、ステップＳ７８において、制御部８１は、駐車券受付部８５（の入庫情報確認部１０２）を制御して入庫情報がＯＫであるか否かを判定する。例えば、ステップＳ７８において、入庫情報がＯＫであると判定された場合、ステップＳ７９において、制御部８１は、駐車券受付部８５を制御して、駐車券３１にサービス情報を記録させる。より詳細には、駐車券受付部８５は、サービス情報付加部１０３を制御し、駐車券３１に駐車料金を所定数だけ割引くサービス情報を記録する。
【０１６３】
ステップＳ８０において、制御部８１は、駐車券受付部８５を制御して、投入された駐車券３１を駐車券投入返却口４１より返却させる。
【０１６４】
ステップＳ８１において、制御部８１は、駐車券受付部８５を制御して、駐車券投入返却口４１より駐車券３１が抜き取られたか否かを判定し、抜き取られるまでその処理を繰り返す。例えば、ステップＳ８１において、駐車券３１が駐車券投入返却口４１より抜き取られたと判定された場合、ステップＳ８２において、制御部８１は、遊技度数確認部１１４の確認結果に基づいて、遊技度数があるか否かを判定し、例えば、遊技度数があると判定された場合、ステップＳ８３において、表示部８３を制御して、精算可能を示す画面を表させる。
【０１６５】
ステップＳ８４において、制御部８１は、ICコインに記録されていた遊技度数に基づいて、対応する精算金額を計算し、現金処理部８４を制御して、計算結果となる精算金額を紙幣投入返却口４５から払い出させる。
【０１６６】
ステップＳ８５において、制御部８１は、現金処理部８４を制御して、紙幣投入返却口４５より精算金額として払い出された紙幣が抜き取られたか否かを判定し、抜き取られるまでその処理が繰り返される。ステップＳ８５において、精算金額として払い出された紙幣が抜き取られたと判定された場合、ステップＳ８６において、制御部８１は、有価価値媒体投入発行部８６を制御して、ICコインを初期化し、ステップＳ８７において、そのICコインを図示せぬホッパなどに回収する。
【０１６７】
一方、ステップＳ８２において、遊技度数がないと判定された場合、ステップＳ９３において、制御部８１は、表示部８３を制御して、遊技度数が０であり、精算されるべき金額が０円であることを示す画面を表示させ、精算金額が０であるので、ステップＳ８３乃至Ｓ８５の処理がスキップされる。
【０１６８】
さらに、ステップＳ７４において、駐車サービス対応可能情報が記録されていないと判定された場合、すなわち、駐車サービスが、ICコインの購入時に申し出ていないような場合、駐車サービスに係る処理であるステップＳ７５乃至Ｓ８１の処理がスキップされる。
【０１６９】
また、ステップＳ７３において、精算禁止情報があると判定された場合、すなわち、投入されたICコインを用いて遊技媒体を借り受けていない場合、ステップＳ８８において、制御部８１は、表示部８３を制御して、精算不能を表示させると共に、駐車サービスの中止を促す画面を表示する。
【０１７０】
ステップＳ８９において、制御部８１は、操作部８２を制御して、駐車サービスの中止を示す操作がなされたか否かを判定する。例えば、駐車サービスの中止が指示されたと判定された場合、ステップＳ９０において、  
【０１７１】
制御部８１は、有価価値媒体投入発行部８６を制御して、精算禁止情報および駐車サービス対応可能情報を削除させる。より詳細には、有価価値媒体投入発行部８６は、制御部８１からの指令により、精算禁止情報確認部１１２を制御して、精算禁止情報を削除させ、駐車サービス対応可能情報確認部１１６を制御して、駐車サービス対応可能情報を削除させ、その処理は、ステップＳ８２に進む。
【０１７２】
さらに、ステップＳ８９において、駐車サービスの中止が指示されなかった場合、ステップＳ９２において、制御部８１は、有価価値媒体投入発行部８６を制御して、精算用に投入されたICコインをそのままICコイン排出口４６より排出させる。一方、ステップＳ７７において、駐車識別情報がＯＫではない場合、または、ステップＳ７８において、入庫情報がＯＫではない場合、ステップＳ９１において、制御部８１は、表示部８３を制御して、正規の駐車券ではないので、正規の駐車券の投入を促す画面を表示させると共に、駐車券受付部８５を制御して、投入された駐車券３１をそのまま駐車券投入返却口４１より返却させ、その処理は、ステップＳ７５に戻る。尚、以上の処理においては、正規の駐車券が投入されるまで、ステップＳ７５乃至Ｓ７８，Ｓ９１の処理が繰り返されることになるが、例えば、所定回数繰り返した後、ステップＳ７１の処理に戻るようにして、正規の駐車券を紛失してしまったような状況にも対応できるようにしても良い。
【０１７３】
以上の処理により、駐車サービス対応可能情報が記録されて、かつ、精算禁止情報が記録されていないICコインが投入された場合、すなわち、ICコイン購入時に駐車サービスを要求し、購入したICコインで遊技媒体を借り受けた場合、駐車識別情報および入庫情報に問題がないとき、駐車券３１にサービス情報が記録され、ICコインが精算されることになる。一方、ICコインに精算禁止情報がある場合、すなわち、購入したICコインで遊技媒体を借り受けていない場合、駐車料金の割引を受けるためのサービス情報が駐車券に記録されないことになる。
【０１７４】
すなわち、購入したICコインで遊技媒体を借り受けていない場合、つまり、ICコインを所持する遊技者と、遊技店との間には、取引関係がない状態である場合、駐車料金の割引を受けるサービス情報が駐車券に記録されないことになる。結果として、駐車サービス対応可能情報が記録されて、かつ、精算禁止情報が記録されていないICコインが投入された場合、すなわち、ICコインを所持する遊技者と、遊技店との間に、取引関係が成立したときにのみ、その遊技者の駐車券にサービス情報を記録させるようにすることが可能となる。
【０１７５】
次に、図１４のフローチャートを参照して、出庫処理について説明する。
【０１７６】
ステップＳ１０１において、駐車券受付部１９２は、駐車券３１が投入されたか否かを判定し、駐車券３１が投入されるまでその処理を繰り返す。例えば、駐車場１１より退場しようとする自動車が出口ゲートに入り、乗車している遊技者より駐車券が投入されると、その処理は、ステップＳ１０２に進む。
【０１７７】
ステップＳ１０２において、駐車券受付部１９２は、投入された駐車券に記録されている情報を読み出す。
【０１７８】
ステップＳ１０３において、駐車識別情報確認部２０１は、駐車券３１に記録されていた駐車識別情報がＯＫであるか否かを判定し、ＯＫであると判定した場合、その処理は、ステップＳ１０４に進む。
【０１７９】
ステップＳ１０４において、入庫情報確認部２０２は、駐車券３１に記録されている入庫情報がＯＫであるか否かを判定し、ＯＫであると判定した場合、その処理は、ステップＳ１０５に進む。
【０１８０】
ステップＳ１０５において、サービス情報読取部２０３は、駐車券３１にサービス情報が記録されているか否かを判定し、例えば、サービス情報が記録されている場合、その旨を精算部７１に供給し、その処理は、ステップＳ１０６に進む。
【０１８１】
ステップＳ１０６において、精算部７１は、サービス情報を考慮して駐車料金を計算し、計算された駐車料金の支払いを促す画面を表示部１９３に表示する。一方、ステップＳ１０５において、サービス情報が記録されていないと判定された場合、ステップＳ１０７において、サービス情報なしの駐車料金を計算し、計算された駐車料金の支払いを促す画面を表示部１９３に表示する。すなわち、サービス情報なしの駐車料金は、例えば、入庫情報に記録された時刻と、駐車券３１が提示された時刻との差により求められる駐車時間と、１時間あたりの駐車料金の積により求められる通常駐車料金である。また、サービス情報を考慮して求められる駐車料金とは、上述のようにして求められる通常駐車料金より、例えば、１時間分の駐車料金が減額されて求められる駐車料金や、駐車料金そのものを無料とする駐車料金である。
【０１８２】
ステップＳ１０８において、精算部７１は、現金処理部１９１を制御して、ステップＳ１０６またＳ１０７の処理により表示部１９３に表示された金額が支払われたか否かを判定し、支払われるまでその処理を繰り返す。例えば、ステップＳ１０８において、表示部１９３に表示された金額が支払われたと判定された場合、ステップＳ１０９において、精算部７１は、支払いが済んだことを示す信号を生成して、出口ゲート開閉制御部７４に供給する。出口ゲート開閉制御部７４は、この信号に基づいて、出口ゲート７２を開放する。
【０１８３】
ステップＳ１１０において、出口ゲート開閉制御部７４は、出口ゲートセンサ７３より供給されてくる信号に基づいて、自動車２１が出口ゲート７２を通過したか否かを判定し、通過した出口ゲート７２を通過したと判定されるまで、その処理を繰り返す。そして、ステップＳ１１０において、自動車２１が、出口ゲートを通過したと判定した場合、ステップＳ１１１において、出口ゲート開閉制御部７４は、出口ゲート７２を閉じる。
【０１８４】
一方、ステップＳ１０３において、駐車識別情報がＯＫではない場合、または、ステップＳ１０４において、入庫情報がＯＫではない場合、ステップＳ１１２において、精算部７１は、表示部１９３を制御して、精算不能を表示する。
【０１８５】
以上の処理により、サービス情報が記録されている駐車券３１を投入した遊技者に対してのみ、すなわち、ICコインを購入した遊技者と、遊技店との間に、取引関係が成立したときにのみ駐車券に記録されるサービス情報に基づいて、駐車料金が割引された金額で計算されることになり、結果として、ICコインを購入し、かつ、そのICコインを利用して遊技媒体を借り受けた遊技者に対してのみ、駐車料金について所定の割引きサービスを提供することが可能となる。
【０１８６】
以上においては、ICコインを精算するタイミングで、ICコインに駐車サービス対応可能情報が記録されており、精算禁止情報が記録されていない場合に、駐車券にサービス情報を記録するようにした例について説明してきたが、サービス情報は、最終的に遊技店との間で取引関係が成立する遊技者の所持する駐車券に記録されればよいものであるので、サービス情報を記録するタイミングは、その他のタイミングであってもよい。
【０１８７】
例えば、ICコインを販売する際、駐車サービスの適用を要求したタイミングで、無条件に駐車券にサービス情報を記録し、精算時に精算禁止情報がICコインに記録されていた場合、駐車券の投入を求め、サービス情報を削除しない限り、ICコインの精算をしないようにしてもよい。
【０１８８】
図１５は、ICコインを販売する際、駐車サービスの適用を要求したタイミングで、無条件に駐車券にサービス情報を記録し、精算時に精算禁止情報がICコインに記録されていた場合、駐車券の投入を求め、サービス情報を削除しない限り、ICコインの精算をしないようにした精算販売装置２の構成を示している。尚、図１５において、図４の精算販売装置２と同一の構成については、同一の符号を付しており、その説明は適宜省略するものとする。
【０１８９】
図１５において、図４の精算販売装置２と異なるのは、駐車券受付部８５におけるサービス情報付加部１０３に代えてサービス情報付加部２４１を設け、さらに新たにサービス情報削除部２４２を設けた点である。
【０１９０】
サービス情報付加部２４１は、基本的には、サービス情報付加部１０３と同様の機能を備えるものであるが、サービス情報を駐車券に記録するタイミングは、サービス情報付加部１０３においては精算時であったが、サービス情報付加部２４１は、ICコインの販売時である点である。サービス情報削除部２４２は、精算時、ICコインに精算禁止情報が記録されている場合、サービス情報の提供を中止するとき、駐車券に記録されたサービス情報を削除する。
【０１９１】
次に、図１６のフローチャートを参照して、図１５の精算販売装置２による販売処理について説明する。尚、図１６のフローチャートにおけるステップＳ１２１乃至Ｓ１２９の処理、および、ステップＳ１３１乃至Ｓ１３８の処理については、図９のフローチャートにおけるステップＳ２１乃至Ｓ３７の処理と同様であるので、その説明は省略する。
【０１９２】
すなわち、新たな処理は、ステップＳ１３０において、サービス情報付加部２４１は、駐車券３１にサービス情報を記録する。
【０１９３】
以上の処理により、駐車サービスの利用が選択されると、無条件にサービス情報が駐車券３１に記録されることになる。
【０１９４】
次に、図１７のフローチャートを参照して、図１５の精算販売装置２による精算処理について説明する。尚、図１７のフローチャートにおけるステップＳ１５１乃至Ｓ１６８の処理、ステップＳ１７３の処理、および、ステップＳ１７５，Ｓ１７７，Ｓ１７８の処理については、図１３のフローチャートにおけるステップＳ７１乃至Ｓ７８の処理、および、ステップＳ８０乃至Ｓ９３の処理と同様であるので、その説明は省略する。
【０１９５】
すなわち、ステップＳ１６８において、例えば、駐車サービスの中止が指示されたと判定された場合、ステップＳ１６９において、制御部８１は、表示部８３を制御して、駐車券３１の投入を促す画面を表示させる。
【０１９６】
ステップＳ１７０において、制御部８１は、駐車券受付部８５を制御して、駐車券投入口４１より駐車券３１が投入されたか否かを判定し、投入されたと判定されるまで、その処理を繰り返す。ステップＳ１７０において、駐車券３１が投入されたと判定された場合、ステップＳ１７１において、制御部８１は、駐車券受付部８５（の駐車識別情報確認部１０１）を制御して駐車識別情報がＯＫであるか否かを判定する。ステップＳ１７１において、例えば、駐車識別情報がＯＫであると判定された場合、ステップＳ１７２において、制御部８１は、駐車券受付部８５（の入庫情報確認部１０２）を制御して入庫情報がＯＫであるか否かを判定する。例えば、ステップＳ１７２において、入庫情報がＯＫであると判定された場合、ステップＳ１７３において、制御部８１は、有価価値媒体投入発行部８６を制御して、精算禁止情報および駐車サービス対応可能情報を削除させる。より詳細には、有価価値媒体投入発行部８６は、制御部８１からの指令により、精算禁止情報確認部１１２を制御して、精算禁止情報を削除させ、駐車サービス対応可能情報確認部１１６を制御して、駐車サービス対応可能情報を削除させ、その処理は、ステップＳ１７４に進む。
【０１９７】
ステップＳ１７４において、サービス情報削除部２４２は、駐車券に記録されているサービス情報を削除する。
【０１９８】
一方、ステップＳ１７１において、駐車識別情報がＯＫではない場合、または、ステップＳ１７２において、入庫情報がＯＫではない場合、ステップＳ１７６において、制御部８１は、表示部８３を制御して、正規の駐車券ではないので、正規の駐車券の投入を促す画面を表示させると共に、駐車券受付部８５を制御して、投入された駐車券３１をそのまま駐車券投入返却口４１より返却させ、その処理は、ステップＳ１６９に戻る。すなわち、ステップＳ１７１において、駐車識別情報がＯＫではない場合、または、ステップＳ１７２において、入庫情報がＯＫではない場合、投入された駐車券は、正規のものではないので、返却し、正規の駐車券が投入されるまで、ステップＳ１６９乃至Ｓ１７２，Ｓ１７６の処理が繰り返されることになる。尚、以上の処理においては、正規の駐車券が投入されるまで、ステップＳ１６９乃至Ｓ１７２，Ｓ１７６の処理が繰り返されることになるが、例えば、所定回数繰り返した後、ステップＳ７１の処理に戻るようにして、正規の駐車券を紛失してしまったような状況にも対応できるようにしても良い。
【０１９９】
以上の処理により、精算禁止情報がある場合、駐車券に記録されているサービス情報が削除されることにより、購入したICコインで遊技媒体を借り受けていない場合、つまり、ICコインを所持する遊技者と、遊技店との間には、取引関係がない状態である場合、駐車料金の割引を受けるサービス情報が駐車券に記録されないことになる。結果として、駐車サービス対応可能情報が記録されて、かつ、精算禁止情報が記録されていないICコインが投入された場合、すなわち、ICコインを所持する遊技者と、遊技店との間に、取引関係が成立したときにのみ、その遊技者の駐車券にサービス情報を記録させるようにすることが可能となる。
【０２００】
さらに、以上においては、有価価値媒体であるICコインを販売および精算する精算販売装置２により駐車料金管理システムを構成する例について説明してきたが、精算販売装置２に代えて、ICコインの販売処理のみを実行する販売装置、および、ICコインの精算処理のみを実行する精算装置を設けて、駐車料金管理システムを構成するようにしてもよい。
【０２０１】
図１８，図１９は、それぞれ図４の精算販売装置２による販売処理および精算処理のみを実行する販売装置２５１および精算装置２５２の一実施の形態の構成を示す図である。尚、図１８の販売装置２５１および図１９の精算装置２５２は、図４における精算販売装置２の構成と同一の構成については、同一の符号を付しており、その説明は適宜省略するものとする。
【０２０２】
図１８の販売装置２５１において、図４の精算販売装置２と異なる点は、有価価値媒体投入発行部８６および駐車券受付部８５に代えて、有価価値媒体投入発行部２６１および駐車券受付部２６２を設けている点である。有価価値媒体投入発行部２６１は、精算金値情報付加部１１１、遊技度数付加部１１３、および駐車サービス対応可能情報付加部１１５から構成されている。また、駐車券受付部２６２は、駐車識別情報確認部１０１および入庫情報確認部１０２から構成されている。すなわち、図４の販売処理において必要な精算販売装置２の構成が、図１８の販売装置２５１の構成である。
【０２０３】
また、図１９の精算装置２５２において、図４の精算販売装置２と異なる点は、有価価値媒体投入発行部８６に代えて、有価価値媒体投入部２７１を設けている点である。有価有価価値媒体投入部２７１は、精算金値情報確認部１１２、遊技度数確認部１１４、および駐車サービス対応可能情報確認部１１６から構成されている。すなわち、図９の精算処理において必要な精算販売装置２の構成が、図１９の精算装置２５２の構成である。
【０２０４】
従って、販売装置２５１の販売処理は、図４の販売処理と同様であり、精算装置２５２の精算処理は、図９の精算処理と同様であるので、その説明は省略する。
【０２０５】
また、図２０，図２１は、それぞれ図１５の精算販売装置２による販売処理および精算処理のみを実行する販売装置２８１および精算装置２８２の一実施の形態の構成を示す図である。尚、図２０の販売装置２８１および図２１の精算装置２８２は、図１５における精算販売装置２の構成と同一の構成については、同一の符号を付しており、その説明は適宜省略するものとする。
【０２０６】
図２０の販売装置２８１において、図１５の精算販売装置２と異なる点は、有価価値媒体投入発行部８６および駐車券受付部８５に代えて、有価価値媒体投入発行部２９１および駐車券受付部２９２を設けている点である。有価価値媒体投入発行部２９１は、精算金値情報付加部１１１、遊技度数付加部１１３、および駐車サービス対応可能情報付加部１１５から構成されている。また、駐車券受付部２９２は、駐車識別情報確認部１０１、庫情報確認部１０２、およびサービス情報付加部２１１から構成されている。すなわち、図１６の販売処理において必要な精算販売装置２の構成が、図２０の販売装置２８１の構成である。
【０２０７】
また、図２１の精算装置２８２において、図１５の精算販売装置２と異なる点は、有価価値媒体投入発行部８６に代えて、有価価値媒体投入部３１１および駐車券受付部３１２を設けている点である。有価有価価値媒体投入部３１１は、精算金値情報確認部１１２、遊技度数確認部１１４、および駐車サービス対応可能情報確認部１１６から構成されている。また、駐車券受付部３１２は、駐車識別情報確認部１０１、庫情報確認部１０２、およびサービス情報削除部２１２から構成されている。すなわち、図１７の精算処理において必要な精算販売装置２の構成が、図２１の精算装置２８２の構成である。
【０２０８】
従って、販売装置２８１の販売処理は、図１６の販売処理と同様であり、精算装置２８２の精算処理は、図１７の精算処理と同様であるので、その説明は省略する。
【０２０９】
本発明によれば、有価価値媒体を購入し、かつ、その有価価値媒体を店内で利用した利用者に対してのみ、所定の割引きサービスを提供することが可能となる。
【０２１０】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２１１】
図２２は、汎用のパーソナルコンピュータの構成例を示している。このパーソナルコンピュータは、CPU(Central Processing Unit)５０１を内蔵している。CPU５０１にはバス５０４を介して、入出力インタフェース５０５が接続されている。バス５０４には、ROM(Read Only Memory) ５０２およびRAM(Random Access Memory)５０３が接続されている。
【０２１２】
入出力インタフェース５０５には、ユーザが操作コマンドを入力するキーボード、マウスなどの入力デバイスよりなる入力部５０６、処理操作画面や処理結果の画像を表示デバイスに出力する出力部５０７、プログラムや各種データを格納するハードディスクドライブなどよりなる記憶部５０８、LAN（Local Area Network）アダプタなどよりなり、インターネットに代表されるネットワークを介した通信処理を実行する通信部５０９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどの記録媒体を含むリムーバブルメディア５１１に対してデータを読み書きするドライブ５１０が接続されている。
【０２１３】
CPU５０１は、ROM５０２に記憶されているプログラム、またはリムーバブルメディア５１１から読み出されて記憶部５０８にインストールされ、記憶部５０８からRAM５０３にロードされたプログラムに従って各種の処理を実行する。RAM５０３にはまた、CPU５０１が各種の処理を実行する上において必要なデータなども適宜記憶される。
【０２１４】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０２１５】
また、本明細書において、システムとは、複数の装置により構成される装置全体を表すものである。
【図面の簡単な説明】
【０２１６】
【図１】本発明を適用した遊技店における駐車料金管理システムの一実施の形態の構成を示す図である。
【図２】図１の精算販売装置の構成を示す図である。
【図３】図１のゲートを説明する図である。
【図４】図１の精算販売装置の一実施の形態の構成を説明する図である。
【図５】図１の遊技媒体貸出装置の一実施の形態の構成を説明する図である。
【図６】図３の入口ゲート管理装置の一実施の形態の構成を説明する図である。
【図７】図３の出口ゲート管理装置の一実施の形態の構成を説明する図である。
【図８】入庫処理を説明するフローチャートである。
【図９】販売処理を説明するフローチャートである。
【図１０】ICコインに記録される情報を説明する図である。
【図１１】ICコインに記録される情報を説明する図である。
【図１２】遊技媒体貸出処理を説明するフローチャートである。
【図１３】精算処理を説明するフローチャートである。
【図１４】出庫処理を説明するフローチャートである。
【図１５】図１の精算販売装置のその他の構成を説明する図である。
【図１６】その他の販売処理を説明するフローチャートである。
【図１７】その他の精算処理を説明するフローチャートである。
【図１８】販売装置の一実施の形態の構成を示す図である。
【図１９】精算装置の一実施の形態の構成を示す図である。
【図２０】販売装置のその他の構成を示す図である。
【図２１】精算装置のその他の構成を示す図である。
【図２２】媒体を説明する図である。
【符号の説明】
【０２１７】
１  ホールコンピュータ
２，２−１乃至２−ｍ  精算販売装置
３，３−１乃至３−ｎ  遊技台
４，４−１乃至４−ｎ  遊技媒体貸出装置
１１  駐車場
２１  自動車
３１  駐車券
【図１】
2007079714.tif 000003
【図２】
2007079714.tif 000004
【図３】
2007079714.tif 000005
【図４】
2007079714.tif 000006
【図５】
2007079714.tif 000007
【図６】
2007079714.tif 000008
【図７】
2007079714.tif 000009
【図８】
2007079714.tif 000010
【図９】
2007079714.tif 000011
【図１０】
2007079714.tif 000012
【図１１】
2007079714.tif 000013
【図１２】
2007079714.tif 000014
【図１３】
2007079714.tif 000015
【図１４】
2007079714.tif 000016
【図１５】
2007079714.tif 000017
【図１６】
2007079714.tif 000018
【図１７】
2007079714.tif 000019
【図１８】
2007079714.tif 000020
【図１９】
2007079714.tif 000021
【図２０】
2007079714.tif 000022
【図２１】
2007079714.tif 000023
【図２２】
2007079714.tif 000024